(57)【特許請求の範囲】
【請求項１】
被写体としての利用者を撮影する撮影手段と、
前記撮影手段が設けられ、前記被写体を撮影するための撮影空間と、
前記撮影空間に隣接し、撮影により得られた撮影画像に対する編集を行うための第１の編集空間と、
前記撮影空間に隣接するとともに、前記第１の編集空間と互いに隣接するように設けられ、前記撮影画像に対する編集を行うための第２の編集空間と、
前記撮影手段の後方にある、前記撮影空間と前記第１の編集空間との仕切りに設けられ、前記利用者が前記撮影空間から前記第１の編集空間に移動するときに通る第１の開口部と、
前記撮影手段の後方にある、前記撮影空間と前記第２の編集空間との仕切りに設けられ、前記利用者が前記撮影空間から前記第２の編集空間に移動するときに通る第２の開口部と、
前記第１の開口部に設けられ、前記撮影空間と前記第１の編集空間とを仕切る第１の仕切り手段と、
前記第２の開口部に設けられ、前記撮影空間と前記第２の編集空間とを仕切る第２の仕切り手段と、
前記被写体の撮影後、前記第１の編集空間または前記第２の編集空間のうち、撮影画像に対する編集が行なわれていない編集空間に前記利用者が移動可能となるように、編集空間を仕切る前記第１の仕切り手段または前記第２の仕切り手段の何れか一方を移動させる開閉制御手段と
を備える写真シール作成装置。
【請求項２】
前記第１の開口部または前記第２の開口部に、前記第１の仕切り手段または前記第２の仕切り手段としてのカーテンまたは扉が設けられている
請求項１に記載の写真シール作成装置。
【請求項３】
前記撮影空間への入り口が設けられている仕切りが、前記第１の編集空間からの出口および前記第２の編集空間からの出口が設けられている仕切りに対して直交する垂直面となるように設けられている
請求項１に記載の写真シール作成装置。
【発明の詳細な説明】
【技術分野】
【０００１】
本発明は写真シール作成装置に関し、特に、設置空間をより狭くするとともに、利用者がより速やかに移動することができるようにした写真シール作成装置に関する。
【背景技術】
【０００２】
従来、被写体としての利用者を撮影して得られた画像を予め用意されたフレーム画像、スタンプ画像、または手書きの線画像の落書き入力画像と合成する編集処理を行い、編集処理が施された画像をシール紙に印刷して利用者に提供する写真シール作成装置が知られている。
【０００３】
このような写真シール作成装置には、利用者が撮影作業を行うための撮影空間と、利用者が撮影された画像に対する編集作業を行うための編集空間とが設けられている。利用者は、撮影空間において撮影作業を行い、その後、撮影空間から編集空間に移動して、編集空間において編集作業を行う。そして、利用者が、写真シール作成装置から排出されてくる、撮影された画像が印刷されたシール紙を受け取ると写真シール作成ゲームは終了する。
【０００４】
近年では、利用者の回転率の向上を図るため、１つの撮影空間に対して２つの編集空間が設けられている写真シール作成装置もある。そのような写真シール作成装置として、図１に示すように、２つの編集空間が隣接して設けられているものがある（例えば、特許文献１参照）。
【０００５】
図１に示される写真シール作成装置では、１つの撮影空間１１に対して、互いに隣接する２つの編集空間１２および編集空間１３が設けられている。これらの編集空間１２および編集空間１３は、撮影空間１１に隣接する位置に設けられている。撮影空間１１には、図中、左右に写真シール作成装置の外部から撮影空間１１に入場または退出するための出入り口となる開口部１４および開口部１５が設けられている。また、編集空間１２の図中、左側および上側にも開口部１６および開口部１７が設けられており、編集空間１８の図中、右側および上側にも開口部１８および開口部１９が設けられている。
【０００６】
利用者は、写真シール作成ゲームを行う場合、開口部１４または開口部１５から撮影空間１１に入場して撮影を行い、その後一旦、編集空間１１の外、すなわち写真シール作成装置の外に出てから、編集空間１２または編集空間１３に入場して編集作業を行う。
【０００７】
また、写真シール作成装置には、図２に示すように、撮影を行うためのカメラや編集処理を行うための編集ユニットが設けられた筐体３１を囲むように、筐体３１の側面に隣接して撮影空間３２、編集空間３３、および編集空間３４が設けられているものもある（例えば、特許文献２参照）。
【０００８】
この写真シール作成装置では、筐体３１の図中、下側の側面に隣接して撮影空間３２が設けられており、撮影空間３２は、その撮影空間３２の図中、左右および下側に設けられたカーテンにより写真シール作成装置の外部と仕切られている。
【０００９】
また、筐体３１の図中、左側および右側のそれぞれの側面に隣接して、編集空間３３および編集空間３４のそれぞれが設けられている。編集空間３３は、図中、上下および左側に設けられたカーテンにより写真シール作成装置の外部と仕切られており、編集空間３４は、図中、上下および右側に設けられたカーテンにより写真シール作成装置の外部と仕切られている。
【００１０】
利用者は、写真シール作成ゲームを行う場合、撮影空間３２において撮影を行い、その後一旦、撮影空間３２の外、すなわち写真シール作成装置の外に出てから、編集空間３３または編集空間３４に入場して編集作業を行う。
【００１１】
さらに、写真シール作成装置には、２つの空間を設けて、それぞれの空間において撮影および編集が行われるものもある（例えば、特許文献３参照）。この写真シール作成装置においては、利用者は、１つ目の空間において撮影および編集を行った後、一旦写真シール作成装置の外部に出てから２つ目の空間に入場して、入場した２つ目の空間においてさらに撮影および編集を行う。
【００１２】
さらに、また、撮影空間の互いに対抗する側面のそれぞれに隣接するように、編集空間が設けられている写真シール作成装置もある（例えば、特許文献４参照）。この写真シール作成装置においては、撮影空間において撮影を終えた利用者は、一旦、写真シール作成装置から外部に出て、その後撮影空間に隣接して設けられている２つの編集空間のうちのいずれかに入場して編集を行う。
【００１３】
さらに、また、撮影時に被写体の背景となるカーテンにより、撮影空間と編集空間とを仕切っている写真シール作成装置もある（例えば、特許文献５参照）。この写真シール作成装置においては、撮影が終了すると背景となるカーテンが巻き上げられて、利用者が撮影空間から編集空間に移動できるようになされている。
【００１４】
【特許文献１】特開２００５−２８４２９７号公報
【特許文献２】特許第３４０９２６０号公報
【特許文献３】特開２００５−２３４３５４号公報
【特許文献４】特許第３７０３４７４号公報
【特許文献５】特開２００５−１２１８４４号公報
【発明の開示】
【発明が解決しようとする課題】
【００１５】
しかしながら、特許文献１乃至特許文献４に開示されている写真シール作成装置では、撮影または編集を行うための各空間が独立して設けられているので、利用者が、撮影または編集を行うための１つの空間から他の空間に移動しようとする場合、利用者は、一旦、自分のいる空間から写真シール作成装置の外部に出なければならず、他の空間に速やかに移動することが困難であった。また、利用者は、一旦写真シール作成装置の外部に出なければならないので、ゲームの雰囲気や流れが中断してしまう恐れがあった。
【００１６】
また、写真シール作成装置には、撮影または編集を行うための複数の空間が設けられているので、利用者がそれらの空間に出入りするためには、写真シール作成装置全体の２つの側面または３つの側面を開放しておかなければならない。すなわち、写真シール作成装置の２つの側面または３つの側面において、利用者が撮影または編集を行う各空間に出入りするために必要な空間を確保しなければならなかった。
【００１７】
さらに、特許文献５に開示されている写真シール作成装置では、編集空間において画像を表示する表示画面は、写真シール作成装置の天井に向けられて配置されているので、複数の利用者が同時に編集空間において編集作業を行う場合、例えば、２人の利用者が同時に編集作業を行う場合、利用者は、それぞれ表示画面を挟んで互いに向かい合うようにして編集作業を行うため、編集空間における１人あたりの空間が狭くなり、各空間への移動や編集作業がしづらくなってしまう恐れがあった。
【００１８】
本発明は、このような状況に鑑みてなされたものであり、写真シール作成装置に設けられた各空間への移動をより迅速にできるようにするとともに、より狭い設置空間に写真シール作成装置を設置することができるようにするものである。
【課題を解決するための手段】
【００１９】
本発明の一側面の写真シール作成装置は、被写体としての利用者を撮影する撮影手段と、前記撮影手段が設けられ、前記被写体を撮影するための撮影空間と、前記撮影空間に隣接し、撮影により得られた撮影画像に対する編集を行うための第１の編集空間と、前記撮影空間に隣接するとともに、前記第１の編集空間と互いに隣接するように設けられ、前記撮影画像に対する編集を行うための第２の編集空間と、前記撮影手段の後方にある、前記撮影空間と前記第１の編集空間との仕切りに設けられ、前記利用者が前記撮影空間から前記第１の編集空間に移動するときに通る第１の開口部と、前記撮影手段の後方にある、前記撮影空間と前記第２の編集空間との仕切りに設けられ、前記利用者が前記撮影空間から前記第２の編集空間に移動するときに通る第２の開口部と、前記第１の開口部に設けられ、前記撮影空間と前記第１の編集空間とを仕切る第１の仕切り手段と、前記第２の開口部に設けられ、前記撮影空間と前記第２の編集空間とを仕切る第２の仕切り手段と、前記被写体の撮影後、前記第１の編集空間または前記第２の編集空間のうち、撮影画像に対する編集が行なわれていない編集空間に前記利用者が移動可能となるように、編集空間を仕切る前記第１の仕切り手段または前記第２の仕切り手段の何れか一方を移動させる開閉制御手段とを備える。
【００２０】
本発明の一側面においては、被写体としての利用者を撮影する撮影手段が設けられ、前記被写体を撮影するための撮影空間、前記撮影空間に隣接し、撮影により得られた撮影画像に対する編集を行うための第１の編集空間、および前記撮影空間に隣接するとともに、前記第１の編集空間と互いに隣接するように設けられ、前記撮影画像に対する編集を行うための第２の編集空間が配置され、前記撮影手段の後方にある、前記撮影空間と前記第１の編集空間との仕切りに、前記利用者が前記撮影空間から前記第１の編集空間に移動するときに通る第１の開口部が設けられ、前記撮影手段の後方にある、前記撮影空間と前記第２の編集空間との仕切りに、前記利用者が前記撮影空間から前記第２の編集空間に移動するときに通る第２の開口部が設けられる。また、前記第１の開口部に、前記撮影空間と前記第１の編集空間とを仕切る第１の仕切り手段が設けられ、前記第２の開口部に、前記撮影空間と前記第２の編集空間とを仕切る第２の仕切り手段が設けられ、前記被写体の撮影後、前記第１の編集空間または前記第２の編集空間のうち、撮影画像に対する編集が行なわれていない編集空間に前記利用者が移動可能となるように、編集空間を仕切る前記第１の仕切り手段または前記第２の仕切り手段の何れか一方が移動される。
【００２１】
したがって、より迅速に写真シール作成装置に設けられた各空間へ移動できるとともに、より狭い設置空間に写真シール作成装置を設置することができる。
【００２２】
この写真シール作成装置の撮影手段は、例えば、CCD（Charge Coupled Device）カメラ、CMOS（Complementary Metal Oxide Semiconductor）カメラなどから構成され、撮影空間は、例えば、第１ユニットの正面、第２ユニットの正面、および天井部により囲まれる空間から構成され、第１の編集空間は、例えば、第２ユニットの左側面、上面、およびカーテンにより囲まれる空間から構成され、第２の編集空間は、例えば、第２ユニットの右側面、上面、およびカーテンにより囲まれる空間から構成される。また、第１の開口部は、例えば、第２ユニットの正面に設けられた開口部のカーテンにより仕切られた部分により構成され、第２の開口部は、例えば、第２ユニットの正面に設けられた開口部のカーテンにより仕切られた部分により構成される。
【００２５】
この第１の仕切り手段は、例えば、撮影空間と編集空間とを接続する開口部に設けられたカーテンまたは開口部扉により構成され、第２の仕切り手段は、例えば、撮影空間と編集空間とを接続する開口部に設けられたカーテンまたは開口部扉により構成される。
【００２６】
この写真シール作成装置の前記撮影空間への入り口が設けられている仕切りを、前記第１の編集空間からの出口および前記第２の編集空間からの出口が設けられている仕切りに対して直交する垂直面となるように設けることができる。これにより、より狭い設置空間に写真シール作成装置を設置することができる。
【００２７】
この写真シール作成装置の前記撮影空間への入り口、前記第１の編集空間からの出口、および前記第２の編集空間からの出口が、互いに隣接し、同一の方向に向くように設けることができる。これにより、より狭い設置空間に写真シール作成装置を設置することができる。
【発明の効果】
【００３３】
本発明の一側面によれば、被写体を撮影することができる。特に、本発明の一側面によれば、より迅速に写真シール作成装置に設けられた各空間へ移動できるとともに、より狭い設置空間に写真シール作成装置を設置することができる。
【発明を実施するための最良の形態】
【００３４】
以下、本発明を適用した具体的な実施の形態について、図面を参照しながら詳細に説明する。
【００３５】
図３は、本発明を適用した写真シール作成装置の一実施の形態の外観構成例を示す斜視図を示している。
【００３６】
図３に示される写真シール作成装置６１は、撮影や編集等の作業の娯楽性を高め、それらの作業を利用者にゲームとして行わせる代わりに、利用者より代金を受け取るゲーム装置であり、通常、ゲームセンターや観光地等の店舗等に設置される。つまり、写真シール作成装置６１は、後述するように、写真シール作成ゲームを利用者に提供する。利用者（主に複数人のグループである場合が多い）は、その写真シール作成ゲームにおいて、硬貨投入後に筐体内に設置されたカメラで利用者自身を撮影し、記録された利用者の画像を液晶パネル上で付属のペン等を用いて所定または任意の文字や図形等を書き込んで編集を行い、個性的な画像を作成してシール紙に分割印刷させる。このように作成され利用者に提供されたシール紙は、例えば、利用者によって、利用者の友人や知人と交換されたり、手帳に貼り付けられてアルバムのようにされたり、ポストカードに貼り付けられたりされる。
【００３７】
図３の写真シール作成装置６１の筐体７０は、複数のユニット等により構成されており、第１ユニット７１と第２ユニット７２が、所定の距離をおいて、フレーム７４−１およびフレーム７４−２並びに床部７３により接続されるように構成されている。
【００３８】
図３に示されるように、直方体の形状の第１ユニット７１の、地上面（床部７３の上面）に対して垂直な４側面のうち、第２ユニット７２に対向する面を正面７１−１と称し、その正面７１−１の右側に隣接する側面を右側面７１−２と称し、正面７１−１に対向する側面を背面７１−３と称し、正面７１−１の左側に隣接する側面（右側面７１−２に対向する側面）を左側面７１−４と称する。
【００３９】
また、第２ユニット７２の、地上面（床部７３の上面）に対して垂直な４側面のうち、第１ユニット７１の正面７１−１に対向する面を正面７２−１と称し、その正面７２−１の右側に隣接する側面を右側面７２−２と称し、正面７２−１に対向する側面を背面７２−３と称し、正面７２−１の左側に隣接する側面（右側面７２−２に対向する側面）を左側面７２−４と称する。また、床部７３の上面に対向する第２ユニット７２の面を上面７２−５と称する。
【００４０】
第１ユニット７１と第２ユニット７２は、図３に示されるように、それらの左右上部において、フレーム７４−１とフレーム７４−２により所定の距離を保つように連結されている。また、第１ユニット７１と第２ユニット７２は、その下部において、床部７３により所定の距離を保つように連結されている。床部７３は、第１ユニット７１と第２ユニット７２とを連結する部材であり、利用者が第１ユニット７１と第２ユニット７２との間、または第２ユニット７２の内部において、撮影作業または編集作業を行う場合の床となる部材であり、かつ、所定の部位が格納される筐体である。床部７３には例えば、第１ユニット７１と第２ユニット７２を電気的に接続するケーブル等が格納される。
【００４１】
また、第１ユニット７１と第２ユニット７２の上部には、フレーム７４−１とフレーム７４−２の上に天井部７５が覆うように設けられており、フレーム７４−１およびフレーム７４−２とともに天井部７５によって第１ユニット７１と第２ユニット７２が連結されている。
【００４２】
第１ユニット７１、第２ユニット７２、天井部７５、および床部７３により囲まれる空間は、撮影空間として利用され、利用者は、右側面７１−２、右側面７２−２、フレーム７４−２、および床部７３により囲まれるように形成された開口部７６から写真シール作成装置６１に入場し、撮影空間において撮影作業を行う。
【００４３】
また、第２ユニット７２は、正面７２−１および背面７２−３をくり貫いたような構造となっている。すなわち、正面７２−１および背面７２−３のほぼ全体が開口しており、第２ユニット７２の内部が編集空間として利用できるようになされている。第２ユニット７２の内部には、上面７２−５から編集空間を仕切るカーテン７７が吊設されており、２つの編集空間が設けられている。
【００４４】
また、背面７２−３の上面７２−５側には、背面７２−３に設けられた開口部７８から第２ユニット７２の内部が見えないように、カーテン７９−１およびカーテン７９−２が吊設されている。そして、２つの編集空間のうち、カーテン７７の右側に設けられた編集空間において編集作業を行った利用者は、開口部７８の、カーテン７７および右側面７２−２に囲まれた部分から編集空間の外部に退出し、カーテン７７の左側に設けられた編集空間において編集作業を行った利用者は、開口部７８の、カーテン７７および左側面７２−４に囲まれた部分から編集空間の外部に退出する。
【００４５】
このように、写真シール作成装置６１には、２つの編集空間が互いに隣接するように設けられ、それぞれの編集空間からの出口が設けられている背面７２−３は、撮影空間への入り口が設けられている、右側面７１−２および右側面７２−２が含まれる面に対して直交する垂直面となるように設けられている。写真シール作成装置６１においては、開口部７６は撮影空間への入り口として用いられ、開口部７８は編集空間からの出口として用いられる。
【００４６】
図４は、写真シール作成装置６１の筐体７０の内部を天井部７５側から見た図である。なお、図４において図３における場合と対応する部分には同一の符号を付してあり、その説明は適宜省略する。
【００４７】
図４では、第１ユニット７１の正面７１−１、第２ユニット７２の正面７２−１との間の空間が利用者により撮影作業が行われる撮影空間１０１とされている。また、第２ユニット７２の正面７２−１には、撮影空間１０１と第２ユニット７２の内部とを接続する（繋ぐ）開口部１０２が設けられている。そして、第２ユニット７２の内部は、カーテン７７により２つの空間に仕切られており、カーテン７７、カーテン７９−１、および左側面７２−４により囲まれる空間が、利用者により編集作業が行われる編集空間１０３−１とされ、カーテン７７、カーテン７９−２、および右側面７２−２により囲まれる空間が、利用者により編集作業が行われる編集空間１０３−２とされている。
【００４８】
開口部１０２は、カーテン７７によって２つの開口部に仕切られており、開口部１０２の図中、カーテン７７の上側の部分の開口部が、撮影空間１０１から編集空間１０３−１への入り口となる開口部とされ、カーテン７７の下側の部分の開口部が、撮影空間１０１から編集空間１０３−２への入り口となる開口部とされる。
【００４９】
第１ユニット７１−１の正面７１−１には、被写体としての利用者を撮影するためのカメラなどからなる撮影ユニット１０４が設けられている。また、第２ユニット７２の開口部１０２の上部には、撮影時に被写体としての利用者の背景として利用される、複数の背景カーテンなどからなる背景カーテンユニット１０５が設けられている。
【００５０】
また、開口部１０２には、撮影空間１０１と編集空間１０３−１とを仕切る開口部扉１０６−１、および撮影空間１０１と編集空間１０３−２とを仕切る開口部扉１０６−２が設けられている。開口部扉１０６−１および開口部扉１０６−２は、図中、上下方向、すなわち矢印Ｋ１１および矢印Ｋ１２に示される方向に移動させられることにより開閉される。
【００５１】
このように、撮影空間１０１と編集空間１０３−１とを開口部扉１０６−１により仕切り、撮影空間１０１と編集空間１０３−２とを開口部扉１０６−２により仕切ることにより、撮影空間１０１、編集空間１０３−１、および編集空間１０３−２における閉鎖性を向上させることができる。
【００５２】
さらに、左側面７２−４の編集空間１０３−１側には、撮影された画像を表示する編集表示部などからなり、撮影された画像の編集を行うための編集ユニット１０７−１が設けられている。例えば、編集ユニット１０７−１は、編集ユニット１０７−１を構成する編集表示部の表示画面が、編集空間１０３−１内の床部７３と垂直となるように、すなわち左側面７２−４と平行となるように左側面７２−４に固定されている。
【００５３】
同様に、右側面７２−２の編集空間１０３−２側には、撮影された画像を表示する編集表示部などからなり、撮影された画像の編集を行うための編集ユニット１０７−２が設けられている。例えば、編集ユニット１０７−２は、編集ユニット１０７−２を構成する編集表示部の表示画面が、編集空間１０３−２内の床部７３と垂直となるように、すなわち右側面７２−２と平行となるように右側面７２−２に固定されている。
【００５４】
なお、以下、編集空間１０３−１および編集空間１０３−２を個々に区別する必要のない場合、単に編集空間１０３と称する。また、以下、開口部扉１０６−１および開口部扉１０６−２を個々に区別する必要のない場合、単に開口部扉１０６と称する。さらに、以下、編集ユニット１０７−１および編集ユニット１０７−２を個々に区別する必要のない場合、単に編集ユニット１０７と称する。
【００５５】
写真シール作成ゲームを行う利用者は、撮影空間１０１への入り口としての開口部７６から撮影空間１０１に入場すると、撮影ユニット１０４の方向を向いて、所望のポーズをとり撮影作業を行う。このとき利用者が、撮影ユニット１０４を操作して所望する背景カーテンを選択すると、背景カーテンユニット１０５からは選択された背景カーテンが下ろされる。そして、撮影作業が終了すると、下ろされている背景カーテンは巻き上げられて、背景カーテンユニット１０５に格納される。
【００５６】
撮影作業が終了すると、撮影ユニット１０４には編集空間１０３への移動の案内が表示されるので、利用者は、その案内にしたがって、編集空間１０３−１または編集空間１０３−２のうち、使用されていない方の編集空間１０３に移動する。
【００５７】
例えば、編集空間１０３−２において、前に撮影作業を行った他の利用者がまだ編集作業を行っており、編集空間１０３−１は他の利用者により使用されていない場合、撮影ユニット１０４には、編集空間１０３−１への移動の案内が表示されて、開口部扉１０６−１が開かれる。すると、移動の案内を見た利用者は、撮影空間１０１から開口部１０２を通って編集空間１０３−１に入場し、編集空間１０３−１において編集作業を行う。
【００５８】
そして、編集空間１０３における編集作業が終了すると、利用者は、編集ユニット１０７に表示される案内にしたがって、開口部７８を通って編集空間１０３から退出し、編集された画像が印刷されたシール紙を受け取って、写真シール作成ゲームは終了する。
【００５９】
このように、入り口としての開口部７６から撮影空間１０１に入場し、開口部１０２を通って撮影空間１０１から編集空間１０３に移動し、さらに出口としての開口部７８を通って編集空間１０３から退出することで、写真シール作成装置６１の右側面７１−２側、および背面７２−３側の２側面だけが開放されていればよく、より狭い設置空間にも写真シール作成装置６１を設置することができる。
【００６０】
また、第２ユニット７２の正面７２−１に撮影空間１０１と編集空間１０３とを接続する開口部１０２を設けたので、利用者の移動距離をより短くすることができる。すなわち、利用者は、撮影空間１０１から編集空間１０３に移動するときに、一度も写真シール作成装置６１の外部に出ることなく、速やかに移動することができる。これにより利用者の回転率を向上させることができる。
【００６１】
なお、利用者が撮影空間１０１から退出して編集空間１０３に移動すると、撮影空間１０１が空くので、その時点で順番待ちをしていた次の利用者は撮影空間１０１に入場し、撮影作業を開始することができる。また、写真シール作成装置６１においては、編集空間１０３−１および編集空間１０３−２において、それぞれ異なる利用者が同時に編集作業を行うことができる。
【００６２】
このように、写真シール作成装置６１においては、撮影空間１０１と編集空間１０３−１および編集空間１０３−２とを用いて、３組の利用者がそれぞれ撮影作業と編集作業を同時に行うことができる（３組の利用者による３つのゲームを並行して進行させることができる）。すなわち、写真シール作成装置６１は、最大３組の利用者を同時に接客することができる。
【００６３】
なお、第２ユニット７２の上面７２−５に、カーテン７７を格納するカーテンユニットを設け、カーテン７７を巻き上げてカーテンユニットに格納することができるようにすることにより、すなわちカーテン７７を自動昇降式のカーテンとすることにより、写真シール作成装置６１の利用状況に応じて、編集空間を１つにするか、または２つにするようにしてもよい。
【００６４】
例えば、利用者が多く、他の利用者が順番待ちしている場合には、カーテン７７により第２ユニット７２の内部の空間を仕切ることによって、編集空間１０３−１および編集空間１０３−２を設け、２組の利用者が、それぞれ編集空間１０３−１および編集空間１０３−２において編集作業を行うようにする。これにより、２組の利用者が同時に編集作業を行うことができ、利用者の回転率を向上させることができる。
【００６５】
逆に、利用者が少ない場合には、カーテン７７をカーテンユニットに格納して、すなわちカーテン７７により第２ユニット７２の内部の空間を仕切らずに、編集空間１０３−１および編集空間１０３−２からなる１つの編集空間を設け、１組の利用者が編集作業を行うようにする。これにより、利用者は、より広い空間を編集空間として用いることができる。
【００６６】
また、開口部扉１０６が図中、上下方向に移動されて開閉されると説明したが、床部７３と垂直な方向に移動されて開閉されてもよく、手動式の扉とされてもよい。さらに、背景カーテンユニット１０５に格納されるカーテンにより、撮影空間１０１と編集空間１０３とを仕切って編集空間１０３への扉とし、利用者が編集空間１０３に入場するときにそのカーテンが背景カーテンユニット１０５に格納されるようにしてもよい。
【００６７】
次に、図５は、第１ユニット７１の正面７１−１の構成例を示す図である。
【００６８】
正面７１−１には、照明部１３１−１乃至照明部１３１−３、撮影ユニット１０４、カメラ１３２、取り込み画像表示部１３３、撮影表示部１３４、スピーカ１３５−１、スピーカ１３５−２、および硬貨投入排出口１３６等の、撮影処理に関する構成が設けられている。
【００６９】
照明部１３１−１乃至照明部１３１−３は、ストロボ発光可能な照明装置により構成され、カメラ１３２が利用者を撮影する（カメラ１３２が取り込む画像より静止画像をキャプチャする）撮影タイミングに対応するタイミングでストロボ発光し、撮影を行う利用者に光を照射する。なお、以下において、照明部１３１−１乃至照明部１３１−３のそれぞれを個々に区別する必要のない場合、単に照明部１３１と称する。
【００７０】
撮影ユニット１０４には、カメラ１３２および取り込み画像表示部１３３が設けられている。カメラ１３２は、例えば、CCD（Charge Coupled Device）カメラ、CMOS（Complementary Metal Oxide Semiconductor）カメラなどから構成され、カメラ１３２は、被写体としての利用者を撮影する。
【００７１】
カメラ１３２近傍の、図中下側にある取り込み画像表示部１３３は、CRT（Cathode Ray Tube）ディスプレイやLCD（Liquid Crystal Display）により構成され、カメラ１３２により撮像された利用者のライブビュー画像（取り込み動画像）を表示する。具体的には、取り込み画像表示部１３３は、利用者により設定されている合成用動画像を、利用者のライブビュー画像に適宜合成して表示する。このカメラ１３２近傍に設けられた取り込み画像表示部１３３に表示される画像により利用者は、撮影直前の自分自身の画像を、カメラ１３２より大幅に視線をずらすことなく確認することができる。
【００７２】
撮影表示部１３４は、CRTディスプレイやLCDにより構成され、撮影作業の設定を行う画面や設定内容の確認画面等が表示されるモニタである。なお、撮影表示部１３４の表示面には無色透明の感圧式のタッチパネルが重畳されており、利用者は、画面上を指等によりタップ（接触）することにより、撮影表示部１３４に表示されているGUI（Graphical User Interface）画面を操作することができる。
【００７３】
スピーカ１３５−１およびスピーカ１３５−２は、左右２チャンネル（互いに異なるチャンネル）の音声（例えば、撮影作業案内用音声やBGM（Back Ground Music））を出力する。なお、以下において、スピーカ１３５−１およびスピーカ１３５−２を個々に区別する必要のない場合、単にスピーカ１３５と称する。硬貨投入排出口１３６は、利用者が写真シール作成ゲームを開始するための、予め定められた所定の料金の硬貨を投入する開口部を有している。また、硬貨投入排出口１３６は、例えば、誤った金額の硬貨が投入された場合や、投入途中で利用者が料金の払い戻しを要求した場合に投入した硬貨が排出される排出口となる開口部も有している。
【００７４】
図６は、第２ユニット７２内部の左側面７２−４に設けられた編集ユニット１０７−１の構成例を示す図である。
【００７５】
図６において、第２ユニット７２には、利用者が編集作業を行う際に利用するアイテムがまとめられた編集ユニット１０７−１が、床部７３に対して垂直となるように編集空間１０３に向けられて設置されている。編集ユニット１０７−１は、編集表示部１６１、２本のタッチペン１６２−１およびタッチペン１６２−２、並びに２つのスピーカ１６３−１およびスピーカ１６３−２を有している。
【００７６】
編集表示部１６１は、CRTディスプレイやLCDにより構成され、撮影空間１０１における撮影作業により得られた画像である撮影画像を編集するためのGUI画像（編集画面）等を表示する。この編集表示部１６１の画面上には無色透明のタッチパネルが重畳されている。また、この編集表示部１６１の左右近傍には、このタッチパネルに対応するタッチペン１６２−１とタッチペン１６２−２が左右１本ずつ所定のアタッチメントにより編集ユニット１０７−１に着脱可能に固定されており、２人の利用者が同時に編集作業を行うことができるようになされている。
【００７７】
以下において、左右のタッチペン１６２−１およびタッチペン１６２−２を個々に区別する必要のない場合、単にタッチペン１６２と称する。
【００７８】
タッチペン１６２は、編集ユニット１０７−１と有線（または無線）により電気的にも接続されている。タッチペン１６２は、編集表示部１６１の画面上に重畳された無色透明のタッチパネルと連携して動作する。利用者がこれらのタッチペン１６２を操作して、編集表示部１６１に重畳されるタッチパネルをタップする（タッチペン１６２とタッチパネルを接触させる）ことにより、これらは、利用者からの入力を受け付ける入力手段として動作する。なお、タッチペン１６２−１またはタッチペン１６２−２からは、例えばタッチパネルを介して互いに異なる信号が入力される。これにより写真シール作成装置６１は、どのタッチペン１６２がタッチパネルのどこにタップされたかを識別することができる。
【００７９】
また、編集表示部１６１の下側近傍には、左右に並ぶように、スピーカ１６３−１およびスピーカ１６３−２が設けられている。スピーカ１６３−１およびスピーカ１６３−２は、左右２チャンネルの音声（例えば、編集作業案内用音声やBGM）を出力する。以下において、スピーカ１６３−１およびスピーカ１６３−２を個々に区別する必要のない場合、単にスピーカ１６３と称する。
【００８０】
なお、右側面７２−２に設けられている編集ユニット１０７−２の構成も図６に示した編集ユニット１０７−１の構成と同様であるので、その説明は省略する。
【００８１】
図７は、第２ユニット７２の右側面７２−２の外部側、すなわち編集ユニット１０７−２が設けられた側とは異なる側の構成例を示す図である。
【００８２】
図７において、右側面７２−２の写真シール作成装置６１の外側、すなわち編集空間１０３とは異なる側には、事後接客ユニット１９０が設けられている。事後接客ユニット１９０には、事後接客用モニタ１９１、スピーカ１９２−１、およびスピーカ１９２−２が設けられている。事後接客用モニタ１９１は、ゲームや付加サービスに対する個人設定等の入力に関するGUI画像を表示し、それに対する入力を受け付ける。スピーカ１９２−１およびスピーカ１９２−２は、左右２チャンネルの音声を出力する。以下において、スピーカ１９２−１およびスピーカ１９２−２を個々に区別する必要のない場合、単にスピーカ１９２と称する。
【００８３】
このような事後接客ユニット１９０を設けることにより、編集作業を終了し、印刷処理が終了してシール紙が排出されるまでの間待機する利用者は、この事後接客ユニット１９０による事後接客処理（ゲームや追加サービス等）によって、退屈せずに時間を過ごすことができる。
【００８４】
右側面７２−２の事後接客ユニット１９０の下には、メンテナンス用ドア部１９３が設けられている。メンテナンス用ドア部１９３は、蝶番１９４−１および蝶番１９４−２を軸として回転するように開閉する。メンテナンス用ドア部１９３には、またドアノブ１９５も設けられており、メンテナンス用ドア部１９３の開閉を容易にしている。また、このドアノブ１９５に鍵機構を設けることにより、利用者等による不必要なメンテナンス用ドア部１９３の開閉を抑制することができる。
【００８５】
メンテナンス用ドア部１９３には、さらに、シール紙排出口１９６が設けられている。シール紙排出口１９６には、内部のプリンタで印刷された後排出されたシール紙がシール紙排出口１９６より飛び出さないようにする止め部１９７も設けられている。
【００８６】
図８は、第２ユニット７２の、第１ユニット７１に対する面側、すなわち正面７２−１側から見た場合の外観を示す斜視図である。
【００８７】
図８において、第２ユニット７２は、第１ユニット７１に対する面である正面７２−１側をくり貫いたような構造になっている。第２ユニット７２の上面７２−５の開口部１０２側には、斜線で示されるように背景カーテンユニット１０５が設けられている。
【００８８】
背景カーテンユニット１０５には、図９に示されるように、複数の背景カーテン２３１−１乃至背景カーテン２３１−５が巻きとられた状態で格納されている。図９の例では、背景カーテンユニット１０５には、軸２３２−１乃至軸２３２−５が設けられており、それぞれに互いに異なる色または模様の背景カーテン２３１−１乃至背景カーテン２３１−５が巻かれた状態で格納されている。
【００８９】
なお、以下、背景カーテン２３１−１乃至背景カーテン２３１−５のそれぞれを個々に区別する必要のない場合、単に背景カーテン２３１と称する。また、以下、軸２３２−１乃至軸２３２−５のそれぞれを個々に区別する必要のない場合、単に軸２３２と称する。
【００９０】
図示せぬ駆動部は、軸２３２−１乃至軸２３２−５のそれぞれを各軸の長手方向の中心軸を中心に回転させ、その軸に巻かれた背景カーテン２３１−１乃至背景カーテン２３１−５を上下させる。すなわち、図８のカーテン出力穴２２１−１乃至カーテン出力穴２２１−５のそれぞれより、互いに異なる色または模様の背景カーテン２３１−１乃至背景カーテン２３１−５のそれぞれが、利用者の指示等に基づいて下ろされる。
【００９１】
駆動部が利用者の指示等に基づいて、背景カーテン２３１を下ろす場合、駆動部は背景カーテンユニット１０５に格納されている複数の背景カーテン２３１のうち、いずれか１つを下ろす。例えば、図９に示されるように、利用者などにより軸２３２−２に巻かれている背景カーテン２３１−２が背景として選択されると、駆動部は、軸２３２−２を回転させ、その背景カーテン２３１−２を矢印Ｑ１１で示される方向に下ろすとともに、軸２３２−５を回転させ、それまで下ろしていた軸２３２−５の背景カーテン２３１−５を矢印Ｑ１２で示される方向に巻き上げる。これによって、利用者は、様々な色または模様の背景の撮影画像を容易に得ることができる。
【００９２】
図１０は、写真シール作成装置６１の機能の構成例を示すブロック図である。なお、図１０において、図３乃至図９における場合と対応する部分には同一の符号を付してあり、その説明は適宜省略する。
【００９３】
写真シール作成装置６１は、制御部２６１、ROM（Read Only Memory）２６２、RAM（Random Access Memory）２６３、記憶部２６４、撮影部２６５、編集部２６６−１、編集部２６６−２、背景カーテンユニット１０５、開閉制御部２６７、プリンタ２６８、ＩＤタグリーダライタ２６９、およびシール紙ユニット２７０から構成される。
【００９４】
制御部２６１は、写真シール作成装置６１の各部を制御し、撮影および編集に関する処理を実行させる。制御部２６１は、ROM２６２に記録されているプログラム、または記憶部２６４からRAM２６３にロードされたプログラムに従って各種の処理を実行する。RAM２６３にはまた、制御部２６１が各種の処理を実行する上において必要なデータなども適宜記憶される。
【００９５】
記憶部２６４は、例えば半導体メモリやハードディスク等により構成される記憶媒体であり、画像データや設定情報など、各種のプログラムやデータを記憶する。
【００９６】
撮影部２６５は、撮影空間１０１における被写体の撮影を行う。撮影部２６５は、硬貨処理部２９１、照明部１３１、カメラ１３２、撮影表示部１３４、取り込み画像表示部１３３、およびスピーカ１３５から構成される。硬貨処理部２９１は、硬貨投入排出口１３６などからなり、利用者による硬貨投入に関する制御処理を行う。
【００９７】
編集部２６６−１は、編集ユニット１０７−１に設けられている各部により構成され、編集空間１０３−１における編集処理を行う。編集部２６６−１は、編集表示部１６１、タッチペン１６２−１、タッチペン１６２−２、スピーカ１６３、およびタッチパネル２９２から構成される。
【００９８】
タッチパネル２９２は、編集表示部１６１の表示面に重畳される無色透明の感圧式のタッチパネルであり、利用者は、画面上をタッチペン１６２によりタップ（接触）することにより、編集表示部１６１に表示されているGUI画面を操作することができる。
【００９９】
編集部２６６−２は、編集ユニット１０７−２に設けられている各部により構成され、編集空間１０３−２における編集処理を行う。編集部２６６−２は、編集表示部２９３、タッチペン２９４−１、タッチペン２９４−２、スピーカ２９５、およびタッチパネル２９６から構成される。
【０１００】
なお、これらの編集表示部２９３、タッチペン２９４−１、タッチペン２９４−２、スピーカ２９５、およびタッチパネル２９６のそれぞれは、編集部２６６−１における編集表示部１６１、タッチペン１６２−１、タッチペン１６２−２、スピーカ１６３、およびタッチパネル２９２のそれぞれと同様であるため、その説明は省略する。また、以下、編集部２６６−１および編集部２６６−２のそれぞれを個々に区別する必要のない場合、単に編集部２６６と称する。
【０１０１】
開閉制御部２６７は、開口部扉１０６を移動させることにより、開口部扉１０６の開閉を制御する。プリンタ２６８は、カメラ１３２により撮影され、編集処理などが施された撮影画像をシール紙ユニット２７０から供給されるシール紙２９７に印刷して出力する。プリンタ２６８により印刷されたシール紙２９７は、シール紙排出口１９６から排出され、利用者に提供される。
【０１０２】
ＩＤタグリーダライタ２６９は、シール紙ユニット２７０に付されているＩＤタグ２９８から装填されているシール紙２９７の種類に対応するＩＤを読み取り、制御部２６１に供給する。制御部２６１は、ＩＤタグリーダライタ２６９から供給されたＩＤを、予めROM２６２等に記録しているＩＤと照合することにより、シール紙ユニット２７０に収納されているシール紙２９７が適切なシール紙であるか否かを判定し、写真シール作成装置６１を使用可能、または使用不可能にする。
【０１０３】
ところで、写真シール作成装置６１の電源がオンされると、写真シール作成装置６１は、写真シールを作成する処理である、写真シール作成ゲーム処理を開始する。以下、図１１のフローチャートを参照して、写真シール作成装置６１による写真シール作成ゲーム処理について説明する。
【０１０４】
ステップＳ１１において、写真シール作成装置６１は撮影処理を行う。なお、撮影処理の詳細は後述するが、この撮影処理において写真シール作成装置６１は、撮影空間１０１にいる被写体としての利用者の画像を撮影する。
【０１０５】
ステップＳ１２において、写真シール作成装置６１は、編集処理を行う。なお、編集処理の詳細は後述するが、この編集処理において写真シール作成装置６１は、撮影により得られた撮影画像に対する編集処理を行う。また、編集処理が行われると、制御部２６１からプリンタ２６８には編集された撮影画像が供給される。
【０１０６】
ステップＳ１３において、プリンタ２６８は、制御部２６１から供給された撮影画像をシール紙ユニット２７０から供給されるシール紙２９７に印刷する。
【０１０７】
ステップＳ１４において、プリンタ２６８は、印刷したシール紙２９７をシール紙排出口１９６から排出し、写真シール作成ゲーム処理は終了する。
【０１０８】
このようにして、写真シール作成装置６１は、被写体としての利用者を撮影し、撮影により得られた撮影画像に対して編集処理を施してシール紙に印刷する。
【０１０９】
次に、図１２のフローチャートを参照して、図１１のステップＳ１１の処理に対応する撮影処理について説明する。
【０１１０】
撮影処理が開始されると、ステップＳ４１において、硬貨処理部２９１は、利用者により写真シール作成ゲームを開始するための所定の料金の硬貨が硬貨投入排出口１３６に投入されたか否かを判定する。
【０１１１】
ステップＳ４１において、硬貨が投入されていないと判定された場合、ステップＳ４２に進み、撮影表示部１３４は、ROM２６２から所定の画像を取得してデモ画面を表示し、処理はステップＳ４１に戻る。
【０１１２】
これに対して、ステップＳ４１において、硬貨が投入されたと判定された場合、ステップＳ４３に進み、写真シール作成装置６１の各部は撮影設定処理を行い、撮影の準備をする。例えば、撮影表示部１３４は、撮影時の背景として使用する背景カーテン２３１を選択させる画面を表示し、利用者により背景カーテン２３１が選択されると、背景カーテンユニット１０５は、選択された背景カーテン２３１を下ろして背景とする。
【０１１３】
ステップＳ４４において、撮影部２６５は、所定の時間が経過したか、または撮影表示部１３４に表示されているGUI画面の撮影開始ボタンが操作されたか否かを判定する。ステップＳ４４において、所定の時間が経過したか、または撮影開始ボタンが操作されたと判定されなかった場合、処理はステップＳ４３に戻り、所定の時間が経過したか、または撮影開始ボタンが操作されたと判定されるまで、上述した処理が繰り返される。
【０１１４】
一方、ステップＳ４４において、所定の時間が経過したか、または撮影開始ボタンが操作されたと判定された場合、ステップＳ４５に進み、カメラ１３２は撮影空間１０１内の被写体としての利用者の画像を撮影する。
例えば、このとき取り込み画像表示部１３３は、カメラ１３２により撮影された画像であるライブビュー画像を表示する。また、撮影表示部１３４は、所定のGUI画像をROM２６２から取得して表示する。これにより、撮影表示部１３４には、例えば、図１３に示す画像が表示される。
【０１１５】
図１３では、カウントダウンインジケータ３２１が表示され、例えば、左側の信号から順に点灯が開始され、１番右側の信号が点灯されたとき、カメラ１３２により撮影されている画像が記憶される。なお、この例においては、撮影するタイミングと同時に、「はい、ポーズ！」のメッセージが表示されている。被写体である利用者は、このメッセージ（撮影するタイミング）に合わせてポーズを取るなどして撮影作業を行う。
【０１１６】
撮影するタイミングとなったとき、照明部１３１は照明（フラッシュ）を被写体に照射し、カメラ１３２は、その瞬間に取り込まれている静止画像を撮影画像としてRAM２６３に供給して一時的に記憶させる。
【０１１７】
図１２のフローチャートの説明に戻り、ステップＳ４６において、撮影表示部１３４は、RAM２６３から撮影画像を取得して撮像画像を確認するための画像確認画面を表示する。この画像確認画面には、撮影により得られた撮影画像が表示される。そして、利用者が撮影表示部１３４に表示されている画像確認画面を確認して、撮影画像の保存を指示すると、制御部２６１は撮影により得られた撮影画像を記憶部２６４に供給する。
【０１１８】
ステップＳ４７において、記憶部２６４は、制御部２６１から供給された撮影画像を保存する。そして、ステップＳ４８において、制御部２６１は、例えば、３分などの予め定められた所定の時間が経過したか、または利用者が撮影表示部１３４に表示されているGUI画面を操作して撮影の終了を指示したか否かを判定する。
【０１１９】
ステップＳ４８において、所定の時間が経過しておらず、撮影の終了も指示されていないと判定された場合、処理はステップＳ４５に戻り、上述した処理が繰り返される。
【０１２０】
これに対してステップＳ４８において、所定の時間が経過したか、または撮影の終了が指示されたと判定された場合、ステップＳ４９に進み、制御部２６１は、編集空間１０３−１または編集空間１０３−２のうち、利用者により使用されていない編集空間１０３を検出する。そして、使用されていない編集空間１０３が検出されると、制御部２６１はその検出結果を開閉制御部２６７に供給する。
【０１２１】
ステップＳ５０において、開閉制御部２６７は、制御部２６１からの検出結果に基づいて、使用されていない編集空間１０３への入り口としての開口部１０２に設けられた開口部扉１０６を移動させて開口する。
【０１２２】
例えば、検出結果として、編集空間１０３−１が使用されていないとされた場合、開閉制御部２６７は、開口部扉１０６−１を移動させて開口し（開き）、検出結果として、編集空間１０３−２が使用されていないとされた場合、開閉制御部２６７は、開口部扉１０６−２を移動させて開口する。また、検出結果として、編集空間１０３−１および編集空間１０３−２の両方が使用されていないとされた場合、開閉制御部２６７は、２つの開口部扉１０６のうちのいずれか一方を移動させて開口する。
【０１２３】
さらに、このとき、背景カーテンユニット１０５は、下ろされている背景カーテン２３１を巻き上げて背景カーテンユニット１０５に格納する。
【０１２４】
ステップＳ５１において、撮影表示部１３４は、使用されていない編集空間１０３として検出された編集空間１０３、すなわち入り口が開かれた編集空間１０３への利用者の移動を促す移動案内画面を表示し、処理は図１１のステップＳ１２に進む。
【０１２５】
これにより、利用者は、撮影空間１０１において撮影作業を行った後、撮影表示部１３４に表示された移動案内を確認すると、その移動案内にしたがって、入り口に設けられた開口部扉１０６が開かれた方の編集空間１０３に入場する。
【０１２６】
このようにして、写真シール作成装置６１は、被写体の撮影を行い、撮影が終了すると、撮影空間１０１と編集空間１０３とを接続する開口部１０２に設けられた開口部扉１０６のうち、使用されていない編集空間１０３への入り口に設けられた開口部扉１０６を開く。
【０１２７】
このように、撮影空間１０１と編集空間１０３とを接続する開口部１０２を設け、編集空間１０３への入り口とすることで、利用者は撮影作業の終了後、写真シール作成装置６１の外部に退出することなく、迅速に編集空間１０３に移動することができる。これにより、利用者は撮影作業が終了すると直ちに編集作業を行うことができるので、利用者の回転率を向上させることができる。
【０１２８】
次に、図１４のフローチャートを参照して、図１１のステップＳ１２の処理に対応する、編集処理について説明する。
【０１２９】
なお、この編集処理における編集部２６６による処理は、編集部２６６−１または編集部２６６−２のいずれかにより行われる。すなわち、開口部扉１０６−１が開いて利用者が編集空間１０３−１に入場した場合には、編集部２６６−１により処理が行われ、開口部扉１０６−２が開いて利用者が編集空間１０３−２に入場した場合には、編集部２６６−２により処理が行われる。以下においては、利用者が編集空間１０３−１に入場し、編集部２６６−１により処理が行われるものとして説明を続ける。
【０１３０】
ステップＳ８１において、編集表示部１６１は記憶部２６４に保存されている撮影画像を、制御部２６１を介して取得する。ステップＳ８２において、編集表示部１６１は、編集を開始するための編集開始ボタンを表示する。
【０１３１】
ステップＳ８３において、制御部２６１は、編集表示部１６１を介してタッチパネル２９２から供給される信号に基づいて、利用者により編集開始ボタンが操作されたか否かを判定する。
【０１３２】
ステップＳ８３において、編集開始ボタンが操作されたと判定された場合、利用者が撮影空間１０１から編集空間１０３に移動し終わり、編集を開始するので、処理はステップＳ８６に進む。
【０１３３】
一方、ステップＳ８３において、編集開始ボタンが操作されていないと判定された場合、ステップＳ８４に進み、制御部２６１は、編集を開始するまでの時間をカウントダウンする。例えば、制御部２６１は、カウントダウンの開始時に、編集を開始するまでの時間ｔ１を１０秒に設定し、時間ｔ１が０となるまで１秒ごとに時間ｔ１を１ずつ減じていく。
【０１３４】
ステップＳ８５において、制御部２６１は編集を開始するまでの時間ｔ１が０となったか否か、すなわち時間ｔ１＝０であるか否かを判定する。ステップＳ８５において、時間ｔ１＝０でないと判定された場合、処理はステップＳ８３に戻り、上述した処理が繰り返される。
【０１３５】
これに対して、ステップＳ８５において、時間ｔ１＝０であると判定された場合、開口部扉１０６−１が開いてから所定の時間が経過したので、利用者が撮影空間１０１から編集空間１０３への移動をし終えたとし、処理はステップＳ８６に進む。
【０１３６】
ステップＳ８３において編集開始ボタンが操作されたと判定されるか、ステップＳ８５において時間ｔ１＝０であると判定されると、ステップＳ８６において、制御部２６１は、開かれている開口部扉１０６−１を閉めるまでの時間をカウントダウンする。例えば、制御部２６１は、カウントダウンの開始時に、開口部扉１０６−１を閉めるまでの時間ｔ２を５秒に設定し、時間ｔ２が０となるまで１秒ごとに時間ｔ２を１ずつ減じていく。
【０１３７】
ステップＳ８７において、制御部２６１は開口部扉１０６−１を閉めるまでの時間ｔ２が０となったか否か、すなわち時間ｔ２＝０であるか否かを判定する。ステップＳ８７において、時間ｔ２＝０でないと判定された場合、処理はステップＳ８６に戻り、時間ｔ２＝０となるまで判定の処理が繰り返される。
【０１３８】
これに対してステップＳ８７において、時間ｔ２＝０であると判定された場合、制御部２６１は、開口部扉１０６−１を閉めるように開閉制御部２６７に指示し、処理はステップＳ８８に進む。
【０１３９】
ステップＳ８８において、開閉制御部２６７は、制御部２６１の指示にしたがって、開口部扉１０６−１を閉める。ステップＳ８９において、編集部２６６−１は編集画面を表示させ、編集入力の受付を開始する。すなわち、編集表示部１６１は、取得した撮影画像を編集するための編集画面を表示し、編集部２６６−１は、利用者による編集入力の受け付けを開始する。
【０１４０】
そして、利用者がタッチペン１６２を用いて編集画面を操作し、編集画面に表示されている撮影画像に対する編集入力を行うと、ステップＳ９０において、編集部２６６−１は、撮影画像に対して編集処理を施し、編集表示部１６１は、その編集入力を反映させた撮像画像（編集画像）を編集画面に表示する。
【０１４１】
ステップＳ９１において、制御部２６１は、撮影画像の編集が開始されてから、例えば、３分などの予め定められた所定の時間が経過したか、または利用者により、編集画面に表示されている編集終了ボタンが操作されたか否かを判定する。
【０１４２】
ステップＳ９１において、所定の時間が経過しておらず、また編集終了ボタンも操作されていないと判定された場合、処理はステップＳ９０に戻り、所定の時間が経過したか、または編集終了ボタンが操作されたと判定されるまで撮影画像に対する編集処理が繰り返される。
【０１４３】
ステップＳ９１において、所定の時間が経過したか、または編集終了ボタンが操作されたと判定された場合、ステップＳ９２に進み、編集部２６６−１は利用者による編集入力の受付を終了し、編集表示部１６１は、利用者に印刷空間、すなわち第２ユニット７２の右側面７２−２に設けられているシール紙排出口１９６付近への移動を促す移動案内を表示する。そして、編集表示部１６１は、利用者による操作に応じて編集された撮影画像を制御部２６１に供給し、処理は図１１のステップＳ１３に進む。
【０１４４】
利用者は編集表示部１６１に表示された移動案内を確認すると、開口部７８を通って編集空間１０３−１から退出し、シール紙排出口１９６が設けられている右側面７２−２へと移動する。
【０１４５】
このようにして、写真シール作成装置６１は、利用者の操作に応じて撮影画像に対して編集処理を施す。なお、以上においては、第１ユニット７１の正面７１−１に撮影ユニット１０４を設けて撮影を行うと説明したが、第２ユニット７２の正面７２−１の開口部１０２の上部に撮影ユニット１０４を設けるようにしてもよい。
【０１４６】
そのような場合、例えば、図１５に示すように、写真シール作成装置６１には、第１ユニット７１の右側面７１−２、背面７１−３、および左側面７１−４のそれぞれに対応する右側面３５１、背面３５２、および左側面３５３が設けられ、右側面３５１、背面３５２、左側面３５３、および第２ユニット７２の正面７２−１に囲まれる空間が撮影空間１０１とされる。
【０１４７】
そして、右側面３５１には、図３に示した第１ユニット７１の右側面７１−２に隣接して設けられた開口部７６と同様の開口部３５４が設けられ、撮影空間１０１への入り口とされる。また、天井部７５の背面３５２側には、背景カーテンユニット１０５が配置される。なお、背景カーテンユニット１０５を設けずに、背面３５２の撮影空間１０１側をそのまま背景として用いるようにしてもよい。さらに、正面７２−１における開口部１０２の上の部分には撮影ユニット１０４が配置され、正面７２−１の左側面７２−４側には、撮影表示部１３４が配置される。
【０１４８】
したがって、入り口としての開口部３５４から撮影空間１０１に入場した利用者は、撮影ユニット１０４の方向、すなわち開口部扉１０６の方向を向き、背面３５２側を背景として撮影作業を行う。そして、撮影作業が終了すると、開口部１０２を通って編集空間１０３に入場して編集作業を行い、その後開口部７８を通って編集空間１０３から退出する。
【０１４９】
第２ユニット７２の正面７２−１に設けられた撮影ユニット１０４は、例えば、図１６の右側の図に示すように、正面７２−１の天井部７５側に設けられたフレーム３８１に、撮影ユニット１０４に固定されたフレーム３８２を介して接続されている。
【０１５０】
撮影ユニット１０４に固定されているフレーム３８２は、図１６の左側の図に示すように、撮影の開始時および撮影の終了時に、フレーム３８１に対して９０度だけ回動されるようになされており、撮影ユニット１０４の位置が移動される。
【０１５１】
ここで、図１６の左側の図は、図１６の右側の図における撮影ユニット１０４を図中、右側から左方向に見た図であり、撮影終了時においてフレーム３８２および撮影ユニット１０４は、矢印Ｋ４１に示す方向に回動する。換言すれば、フレーム３８２および撮影ユニット１０４は、図１６の右側の図において、撮影ユニット１０４が天井部７５により近づくように図中、手前側に回動する。
【０１５２】
撮影開始前において、撮影ユニット１０４は、図１６の左側の図における点線で表されるように、カメラ１３２のレンズ、および取り込み画像表示部１３３が天井部７５と向かい合うように配置されている（以下、適宜収納位置とも称する）。これに対して、撮影時において、撮影ユニット１０４は、図１６の左側の図における実線で表されるように、カメラ１３２のレンズ、および取り込み画像表示部１３３が背面３５２と向かい合うように、すなわち被写体としての利用者の方向を向くように配置される（以下、適宜撮影位置とも称する）。
【０１５３】
また、第２ユニット７２の正面７２−１の左側面７２−４側には、撮影表示部１３４が設けられ、図中、撮影表示部１３４の下には、硬貨投入排出口１３６が設けられている。したがって、利用者が写真シール作成ゲームを開始する場合、利用者は、図１５に示した入り口としての開口部３５４から撮影空間１０１に入場し、正面７２−１に設けられた硬貨投入排出口１３６に硬貨を投入して写真シール作成ゲームを開始する。
【０１５４】
すると、撮影ユニット１０４が回動されて収納位置から撮影位置に移動され、被写体の撮影が行われる。そして、撮影が終了すると、撮影ユニット１０４が回動されて撮影位置から収納位置に移動されて、撮影表示部１３４には移動案内が表示される。さらに、移動案内が表示されると、開口部扉１０６−１または開口部扉１０６−２が図中、右方向または左方向に移動されて開かれるので、利用者は、移動案内にしたがって開口部１０２を通って、編集空間１０３に移動する。
【０１５５】
このように、撮影ユニット１０４の位置が移動する場合、例えば、写真シール作成装置６１は図１７に示すように構成される。
【０１５６】
図１７に示される写真シール作成装置６１の機能的な構成例は、図１０に示した写真シール作成装置６１の機能的な構成例に、新たに撮影ユニット駆動部４１１が設けられた構成とされており、制御部２６１乃至シール紙ユニット２７０が設けられている点は同様である。
【０１５７】
撮影ユニット駆動部４１１は、撮影ユニット１０４に固定されているフレーム３８２を駆動して回動させることにより、撮影ユニット１０４を回動させる。
【０１５８】
写真シール作成装置６１が図１７に示した構成とされる場合においても、写真シール作成装置６１の電源がオンされると、写真シール作成装置６１は、図１１を参照して説明した写真シール作成ゲーム処理と同様の処理を行う。
【０１５９】
次に、図１８のフローチャートを参照して、写真シール作成装置６１が撮影ユニット１０４を移動させる場合における、図１１のステップＳ１１の処理に対応する撮影処理について説明する。
【０１６０】
なお、ステップＳ１２１の処理およびステップＳ１２２の処理は、図１２におけるステップＳ４１の処理およびステップＳ４２の処理と同様であるので、その説明は省略する。
【０１６１】
利用者が撮影空間１０１に入場して正面７２−１に設けられた硬貨投入排出口１３６に硬貨を投入し、ステップＳ１２１において、硬貨が投入されたと判定された場合、処理はステップＳ１２３に進む。
【０１６２】
ステップＳ１２３において、撮影ユニット駆動部４１１は、フレーム３８２を駆動して回動させることで、図１６に示したように撮影ユニット１０４を収納位置から撮影位置に移動させる。その後、ステップＳ１２４の処理乃至ステップＳ１２９の処理が行われるが、これらの処理は図１２のステップＳ４３の処理乃至ステップＳ４８の処理と同様であるので、その説明は省略する。
【０１６３】
ステップＳ１２９において、所定の時間が経過したか、または撮影の終了が指示されたと判定されて撮影が終了すると、ステップＳ１３０において、撮影ユニット駆動部４１１は、フレーム３８２を駆動して回動させることで、図１６に示したように撮影ユニット１０４を撮影位置から収納位置に移動させて収納する。
【０１６４】
その後、ステップＳ１３１の処理乃至ステップＳ１３３の処理が行われて、処理は図１１のステップＳ１２に進むが、これらの処理は図１２のステップＳ４９の処理乃至ステップＳ５１の処理と同様であるので、その説明は省略する。
【０１６５】
このようにして、写真シール作成装置６１は、被写体の撮影の前後に撮影ユニット１０４の位置を移動させる。このように、撮影の前後に撮影ユニット１０４を移動させることで、開口部１０２、すなわち開口部扉１０６の上部に編集ユニット１０４を配置した場合においても、撮影ユニット１０４が編集空間１０３に移動する利用者の邪魔になることはない。
【０１６６】
なお、図１６の右側の図において、撮影ユニット１０４が図中、手前側に回動されると説明したが、図中、左右方向に移動されるようにしてもよい。そのような場合、例えば、撮影後、利用者が編集空間１０３−１に移動するとき、すなわち開口部扉１０６−１が開かれるとき、撮影ユニット１０４が左方向に移動されるようにし、利用者が編集空間１０３−２に移動するとき、すなわち開口部扉１０６−２が開かれるとき、撮影ユニット１０４が右方向に移動されるようにしてもよい。
【０１６７】
このようにすることでも、撮影ユニット１０４が編集空間１０３に移動する利用者の邪魔になることはない。また、撮影ユニット１０４が撮影ユニット駆動部４１１により移動されるのではなく、利用者が手動で移動させるようにしてもよい。
【０１６８】
さらに、撮影空間への入り口、および２つの編集空間からの出口のそれぞれが同じ方向を向くように横方向に並べられて設けられるようにしてもよい。そのような場合、写真シール作成装置６１は、例えば、図１９に示すように構成される。
【０１６９】
図１９では、写真シール作成装置６１の筐体４４１の図中、下側には地上面に接するように床部４４２が設けられている。ここで、筐体４４１の、地上面（床部４４２の上面）に対して垂直な４側面のうち、筐体４４１の図中、手前側に位置する面を正面４４１−１と称し、その正面４４１−１の右側に隣接する側面を右側面４４１−２と称し、正面４４１−１に対向する側面を背面４４１−３と称し、正面４４１−１の左側に隣接する側面（右側面４４１−２に対向する側面）を左側面４４１−４と称する。また、筐体４４１の床部４４２と対向する面を上面４４１−５と称する。
【０１７０】
正面４４１−１は、正面４４１−１の上面４４１−５側に設けられたフレーム４４３と、床部４４２に直立するように横方向に並べられて設けられている長方形状のフレーム４４４乃至フレーム４４７とから構成され、フレーム４４４乃至フレーム４４７のそれぞれは、図中、左側から順に配置されている。すなわち、フレーム４４４は正面４４１−１の左端に配置され、フレーム４４７は正面４４１−１の右端に配置されている。
【０１７１】
このように、フレーム４４４乃至フレーム４４７が横方向に並べられて配置されることにより、正面４４１−１には３つの開口部４４８乃至開口部４５０が設けられることになる。正面４４１−１の中央に設けられた開口部４４８は、筐体４４１の内部に設けられた撮影空間への入り口とされ、開口部４４８には、必要に応じて入り口扉としての遮蔽カーテン４５１が下ろされ、撮影空間と写真シール作成装置６１の外部とが仕切られる。なお、詳細は後述するが、上面４４１−５に設けられている背景カーテンユニット１０５の一番手前側のカーテンが遮蔽カーテン４５１とされる。
【０１７２】
また、正面４４１−１の左側に設けられた開口部４４９は、筐体４４１の内部に設けられた編集空間からの出口とされ、上面４４１−５の開口部４４９側に設けられたカーテン４５２により、編集空間と写真シール作成装置６１の外部とが仕切られている。
【０１７３】
同様に、正面４４１−１の右側に設けられた開口部４５０は、筐体４４１の内部に設けられた編集空間からの出口とされ、上面４４１−５の開口部４５０側に設けられたカーテン４５３により、編集空間と写真シール作成装置６１の外部とが仕切られている。
【０１７４】
さらに、筐体４４１の内部には、筐体４４１の内部に設けられた撮影空間と、筐体４４１内部の左側に設けられた編集空間とを仕切る仕切り４５４、および筐体４４１の内部に設けられた撮影空間と、筐体４４１内部の右側に設けられた編集空間とを仕切る仕切り４５５が設けられている。
【０１７５】
図２０は、写真シール作成装置６１の筐体４４１の内部を上面４４１−５側から見た図である。なお、図２０において図１９における場合と対応する部分には同一の符号を付してあり、その説明は適宜省略する。
【０１７６】
図２０では、写真シール作成装置６１の背面４４１−３、正面４４１−１、仕切り４５４、および仕切り４５５により囲まれる空間が撮影空間４８１とされている。また、撮影空間４８１に隣接し、背面４４１−３、正面４４１−１、左側面４４１−４、および仕切り４５４により囲まれる空間が編集空間４８２−１とされており、撮影空間４８１に隣接し、背面４４１−３、正面４４１−１、右側面４４１−２、および仕切り４５５により囲まれる空間が編集空間４８２−２とされている。
【０１７７】
以下、編集空間４８２−１および編集空間４８２−２を個々に区別する必要のない場合、単に編集空間４８２と称する。
【０１７８】
また、撮影空間４８１の背面４４１−３側には、撮影ユニット１０４、照明部１３１、撮影表示部１３４、スピーカ１３５、および硬貨投入排出口１３６などが設けられている筐体４８３が配置されている。
【０１７９】
筐体４８３には、撮影ユニット１０４を構成するカメラ１３２が開口部４４８を向くように、撮影ユニット１０４が配置されている。また、筐体４８３の中央の撮影ユニット１０４の床部４４２側には、その表示画面が床部４４２と垂直となるように、すなわち表示画面が遮蔽カーテン４５１の方向を向くように撮影表示部１３４が配置され、その撮影表示部１３４の右側には、硬貨投入排出口１３６が配置されている。さらに、上面４４１−５の正面４４１−１側には、背景カーテンユニット１０５が配置されている。
【０１８０】
編集空間４８２−１の背面４４１−３側には、編集ユニット１０７−１、および印刷されたシール紙が排出されるシール紙排出口４８５−１が設けられている筐体４８４−１が配置され、編集空間４８２−２の背面４４１−３側には、編集ユニット１０７−２、および印刷されたシール紙が排出されるシール紙排出口４８５−２が設けられている筐体４８４−２が配置されている。
【０１８１】
また、編集ユニット１０７−１は、その編集ユニット１０７−１に設けられている編集表示部１６１が床部４４２と垂直となるように、すなわち編集表示部１６１がカーテン４５２の方向を向くように筐体４８４−１に配置され、編集ユニット１０７−２は、その編集ユニット１０７−２に設けられている編集表示部２９３が床部４４２と垂直となるように、すなわち編集表示部２９３がカーテン４５３の方向を向くように筐体４８４−２に配置されている。
【０１８２】
なお、以下、筐体４８４−１および筐体４８４−２を個々に区別する必要のない場合、単に筐体４８４と称する。また、以下、シール紙排出口４８５−１およびシール紙排出口４８５−２を個々に区別する必要のない場合、単にシール紙排出口４８５と称する。
【０１８３】
さらに、編集空間４８２−１および編集空間４８２−２のそれぞれには、編集ユニット１０７−１および編集ユニット１０７−２のそれぞれと向かい合う位置に、利用者が編集作業時に座ることができる椅子４８６−１および椅子４８６−２のそれぞれが設けられている。これらの椅子４８６−１および椅子４８６−２は、例えば、コの字型のパイプなどにより構成され、複数の利用者が図中、横方向に並んで椅子４８６−１または椅子４８６−２に座り、編集作業をすることができるようになされている。なお、以下、椅子４８６−１および椅子４８６−２を個々に区別する必要のない場合、単に椅子４８６と称する。
【０１８４】
さらに、撮影空間４８１と編集空間４８２−１とは、仕切り４５４および筐体４８３の間に設けられている開口部４８７−１により接続され（繋がれ）ており、撮影空間４８１から編集空間４８２−１への入り口とされている。上面４４１−５の開口部４８７−１と隣接する部分には、カーテン４８８−１が設けられており、カーテン４８８−１により撮影空間４８１と編集空間４８２−１とが仕切られている。
【０１８５】
同様に、撮影空間４８１と編集空間４８２−２とは、仕切り４５５および筐体４８３の間に設けられている開口部４８７−２により接続され（繋がれ）ており、撮影空間４８１から編集空間４８２−２への入り口とされている。上面４４１−５の開口部４８７−２と隣接する部分には、カーテン４８８−２が設けられており、カーテン４８８−２により撮影空間４８１と編集空間４８２−２とが仕切られている。
【０１８６】
ここで、開口部４８７−１と開口部４８７−２とは、撮影空間４８１の互いに対向する位置に設けられている。
【０１８７】
また、図中、点線４８９−１および点線４８９−２は、カメラ１３２の画角を表しており、図中、点線４８９−１の右側、かつ点線４８９−２の左側の領域の画像がカメラ１３２により撮影される。そこで、編集空間４８２−１および編集空間４８２−２への入り口としての開口部４８７−１および開口部４８７−２は、カメラ１３２の画角の外側、すなわちカメラ１３２により撮影された画像に写らない位置に設けられている。
【０１８８】
なお、以下、開口部４８７−１および開口部４８７−２を個々に区別する必要のない場合、単に開口部４８７と称する。また、以下、カーテン４８８−１およびカーテン４８８−２を個々に区別する必要のない場合、単にカーテン４８８と称する。
【０１８９】
なお、上面４４１−５に、カーテン４８８を格納するカーテンユニットを設け、カーテン４８８を巻き上げてカーテンユニットに格納することができるようにすることで、カーテン４８８を自動昇降式のカーテンとするようにしてもよい。この場合、撮影作業が終了するとカーテン４８８が巻き上げられてカーテンユニットに格納され、編集作業が開始されると、カーテン４８８が下ろされる。
【０１９０】
さらに、背景カーテンユニット１０５は、図２１の左側の図に示すように、上面４４１−５の正面４４１−１側、すなわちフレーム４４３に隣接して配置される。
【０１９１】
そして、背景カーテンユニット１０５から下ろされるカーテンのうち、最も開口部４４８に近いカーテンが遮蔽カーテン４５１とされ、それ以外のカーテンは、背景カーテン２３１とされる。したがって、図２１の左側の図に示すように、遮蔽カーテン４５１が下ろされている状態で、利用者が写真シール作成装置６１の外部から開口部４４８を見ると、利用者には、遮蔽カーテン４５１だけが見え、撮影空間４８１が見えないようになされている。
【０１９２】
また、図２１の右側の図は、背景カーテンユニット１０５を、編集空間４８２−２側から見た図を示している。図２１の右側の図に示すように、遮蔽カーテン４５１は開口部４４８側に配置され、遮蔽カーテン４５１の右側に背景カーテン２３１が配置される。そして、遮蔽カーテン４５１および背景カーテン２３１は、必要に応じて下ろされたり、巻き上げられて格納されたりする。
【０１９３】
ところで、利用者が撮影空間４８１において撮影作業を行っていないか、または利用者により写真シール作成装置６１が利用されていない場合、撮影空間４８１の入り口の付近に設けられている遮蔽カーテン４５１は、背景カーテンユニット１０５に格納されている。
【０１９４】
遮蔽カーテン４５１が背景カーテン１０５に格納されている状態において、利用者が図２０に示した写真シール作成装置６１を利用して写真シール作成ゲームを行う場合、利用者は、入り口としての開口部４４８から撮影空間４８１に入場し、硬貨を硬貨投入排出口１３６に投入する。
【０１９５】
すると、入り口扉としての遮蔽カーテン４５１が下ろされて、撮影空間４８１への入り口扉が閉じられ、利用者は、撮影ユニット１０４の方向を向いて所望のポーズをとり撮影作業を開始する。このとき、利用者が撮影表示部１３４を操作して背景カーテン２３１を選択すると、背景カーテンユニット１０５からは選択された背景カーテン２３１が下ろされて背景とされる。そして、撮影作業が終了すると、下ろされている背景カーテン２３１は巻き上げられて、背景カーテンユニット１０５に格納される。
【０１９６】
撮影作業が終了すると、撮影表示部１３４には、編集空間４８２への移動を促す移動案内が表示されるので、利用者はその移動案内にしたがって、編集空間４８２への入り口としての開口部４８７を通り、編集空間４８２−１または編集空間４８２−２へと移動する。
【０１９７】
利用者が、編集空間４８２に移動して編集作業を開始すると、遮蔽カーテン４５１は巻き上げられて背景カーテンユニット１０５に格納され、入り口扉は開かれる。そして、編集作業が終了すると、利用者は編集空間４８２からの出口としての開口部４４９または開口部４５０を通って編集空間４８２から退出する。
【０１９８】
このように、撮影空間４８１への入り口、および編集空間４８２からの出口を、筐体４４１の１つの側面に設け、入り口としての開口部４４８から撮影空間４８１に入場し、開口部４８７を通って撮影空間４８１から編集空間４８２に移動し、さらに出口としての開口部４４９または開口部４５０を通って編集空間４８２から退出するようにすることで、正面４４１−１、すなわち筐体４４１の１側面だけが開放されていれば写真シール作成装置６１を設置することができる。したがって、写真シール作成装置６１を設置するために必要な設置空間をより狭くすることができる。
【０１９９】
また、撮影空間４８１と編集空間４８２とを接続する開口部４８７を設けたので、利用者の移動距離をより短くすることができる。すなわち、利用者は、撮影空間４８１から編集空間４８２に移動するときに、一度も写真シール作成装置６１の外部に出ることなく、速やかに移動することができる。これにより利用者の回転率を向上させることができる。
【０２００】
なお、図２０の例においては、印刷されたシール紙が排出される２つのシール紙排出口４８５−１およびシール紙排出口４８５−２が設けられる構成とされているが、コスト削減のため、シール紙排出口を１つとするようにしてもよい。そのような場合、シール紙排出口は例えば、開口部４４８付近に設けられ、編集空間４８２−１または編集空間４８２−２から退出した利用者は、開口部４４８付近に設けられたシール紙排出口から排出されるシール紙を受け取る。
【０２０１】
図２０に示した写真シール作成装置６１の機能的な構成は、例えば、図１０に示した構成とされ、写真シール作成装置６１の電源がオンされると、写真シール作成装置６１は、図１１を参照して説明した写真シール作成ゲーム処理と同様の処理を行う。
【０２０２】
次に、図２２のフローチャートを参照して、図２０に示した写真シール作成装置６１による、図１１のステップＳ１１の処理に対応する撮影処理について説明する。
【０２０３】
なお、遮蔽カーテン４５１が下ろされており、利用者が撮影空間４８１に入場できない場合には、利用者は、前の利用者が撮影作業を終えるまで待機し、遮蔽カーテン４５１が背景カーテンユニット１０５に格納されて入り口扉としての遮蔽カーテン４５１が開けられてから、撮影空間４８１に入場する。
【０２０４】
また、ステップＳ１６１の処理およびステップＳ１６２の処理は、図１２におけるステップＳ４１の処理およびステップＳ４２の処理と同様であるので、その説明は省略する。
【０２０５】
ステップＳ１６１において硬貨が投入されたと判定された場合、ステップＳ１６３に進み、背景カーテンユニット１０５は、遮蔽カーテン４５１を下ろし、入り口扉としての遮蔽カーテン４５１を閉じる。その後、ステップＳ１６４の処理乃至ステップＳ１７０の処理のそれぞれが行われるが、これらの処理は図１２のステップＳ４３の処理乃至ステップＳ４９の処理のそれぞれと同様であるので、その説明は省略する。
【０２０６】
使用されていない編集空間４８２が検出され、制御部２６１から撮影表示部１３４にその検出結果が供給されると、ステップＳ１７１において、撮影表示部１３４は、その検出結果にしたがって、使用されていない編集空間４８２への利用者の移動を促す移動案内画面を表示し、処理は図１１のステップＳ１２に進む。
【０２０７】
これにより、利用者は、撮影空間４８１において撮影作業を行った後、撮影表示部１３４に表示された移動案内を確認すると、その移動案内にしたがって、編集空間４８２への入り口としての開口部４８７を通って編集空間４８２−１または編集空間４８２−２に入場する。
【０２０８】
このようにして、写真シール作成装置６１は撮影作業が開始されると、遮蔽カーテン４５１を下ろして、他の利用者が撮影空間４８１に入場できないようにする。
【０２０９】
このように、遮蔽カーテン４５１を下ろして、他の利用者が撮影空間４８１に入場できないようにすることで、写真シール作成装置６１の外部で順番待ちをしている他の利用者は、自分が撮影空間４８１に入場して写真シール作成ゲームを開始できるか否かを容易に知ることができる。これにより、利用者の回転率を向上させることができる。
【０２１０】
また、撮影空間４８１と編集空間４８２とを接続する開口部４８７を設け、編集空間４８２への入り口とすることで、利用者は撮影作業の終了後、写真シール作成装置６１の外部に退出することなく、迅速に編集空間４８２に移動することができる。
【０２１１】
さらに、以下、図２３のフローチャートを参照して、図２０に示した写真シール作成装置６１による、図１１のステップＳ１２の処理に対応する編集処理について説明する。
【０２１２】
なお、ステップＳ２０１の処理乃至ステップＳ２０５の処理のそれぞれは、図１４におけるステップＳ８１の処理乃至ステップＳ８５の処理のそれぞれと同様であるので、その説明は省略する。また、ステップＳ２０４において、編集を開始するまでの時間ｔ１は、例えば１５秒とされる。
【０２１３】
ステップＳ２０３において編集開始ボタンが操作されたと判定されるか、またはステップＳ２０５において時間ｔ１＝０であると判定されると、ステップＳ２０６において、背景カーテンユニット１０５は、撮影空間４８１への入り口扉としての遮蔽カーテン４５１を巻き上げて背景カーテンユニット１０５に格納し、入り口扉を開く。
【０２１４】
その後、ステップＳ２０７の処理乃至ステップＳ２１０の処理が行われるが、これらの処理は、図１４のステップＳ８９の処理乃至ステップＳ９２の処理のそれぞれと同様であるので、その説明は省略する。
【０２１５】
利用者は編集作業が終了すると、編集済みの撮影画像が印刷されたシール紙が、シール紙排出口４８５から排出されるまで待機し、シール紙が排出されるとそのシール紙を受け取って、出口としての開口部４４９または開口部４５０を通って編集空間４８２から退出する。
【０２１６】
このようにして、写真シール作成装置６１は、利用者の操作に応じて撮影画像に対して編集処理を施す。なお、以上においては、シール紙排出口４８５が編集空間４８２に配置された筐体４８４に設けられていると説明したが、写真シール作成装置６１の外部に設けられるようにしてもよい。
【０２１７】
そのような場合、写真シール作成装置６１は、例えば、図２４に示すように構成される。
【０２１８】
図２４では、写真シール作成装置６１の筐体６０１の図中、下側には地上面に接するように床部６０２が設けられている。ここで、筐体６０１の、地上面（床部６０２の上面）に対して垂直な４側面のうち、筐体６０１の図中、手前側に位置する面を正面６０１−１と称し、その正面６０１−１の右側に隣接する側面を右側面６０１−２と称し、正面６０１−１に対向する側面を背面６０１−３と称し、正面６０１−１の左側に隣接する側面（右側面６０１−２に対向する側面）を左側面６０１−４と称する。また、筐体６０１の床部６０２と対向する面を上面６０１−５と称する。
【０２１９】
正面６０１−１は、正面６０１−１の上面６０１−５側に設けられたフレーム６０３乃至フレーム６０５と、床部６０２に直立するように横方向に並べられて設けられている長方形状のフレーム６０６乃至フレーム６０９とから構成され、フレーム６０６乃至フレーム６０９のそれぞれは、図中、左側から順に並べられて配置されている。すなわち、フレーム６０６は正面６０１−１の左端に配置され、フレーム６０９は正面６０１−１の右端に配置されている。
【０２２０】
このように、フレーム６０６乃至フレーム６０９が横方向に並べられて配置されることにより、正面６０１−１には３つの開口部６１０乃至開口部６１２が設けられることになる。正面６０１−１の中央に設けられた開口部６１０は、筐体６０１の内部に設けられた撮影空間への入り口とされる。
【０２２１】
また、正面６０１−１の左側に設けられた開口部６１１は、筐体６０１の内部に設けられた編集空間からの出口とされる。同様に、正面６０１−１の右側に設けられた開口部６１２は、筐体６０１の内部に設けられた編集空間からの出口とされる。
【０２２２】
筐体６０１内部の背面６０１−３側には、撮影ユニット１０４、撮影表示部１３４、スピーカ１３５、硬貨投入排出口１３６などが設けられた筐体６１３が配置されている。撮影ユニット１０４は、その撮影ユニット１０４を構成するカメラ１３２が開口部６１０の方向に向くように、筐体６１３の上部に設けられており、撮影表示部１３４は、筐体６１３の図中、手前側に立った利用者が撮影表示部１３４を操作し易いように、その表示画面が斜め上方、すなわちフレーム６０３の方向に向けられて配置されている。
【０２２３】
また、筐体６１３の撮影表示部１３４の図中、下側には硬貨投入排出口１３６が配置されている。筐体６１３の上方、すなわち筐体６０１の上面６０１−５には照明部１３１−１および照明部１３１−２が開口部６１０の方向に向けられて設けられている。
【０２２４】
筐体６１３の図中、左側には、筐体６１３と隣接して編集ユニット１０７−１が設けられている筐体６１４が配置されている。編集ユニット１０７−１は、編集ユニット１０７−１を構成する編集表示部１６１が図中、斜め上方、すなわちフレーム６０４の方向を向くように筐体６１４に配置されている。
【０２２５】
また、筐体６１３の図中、右側には、筐体６１３と隣接して編集ユニット１０７−２が設けられている筐体６１５が配置されている。編集ユニット１０７−２は、編集ユニット１０７−２を構成する編集表示部２９３が図中、右斜め上方、すなわちフレーム６０９の上部の方向を向くように筐体６１５に配置されている。
【０２２６】
さらに、正面６０１−１の手前側には、フレーム６０８と隣接してシール紙排出口１９６が設けられた筐体６１６が配置されており、この筐体６１６の内部にはプリンタ２６８が配置されている。
【０２２７】
図２５は、筐体６０１を図２４における右上方から見た図を示している。
【０２２８】
筐体６１３の図中、左側および右側には、それぞれ筐体６１３と隣接して、撮影空間と編集空間とを仕切る仕切り６３１−１および仕切り６３１−２が設けられている。また、上面６０１−５には、フレーム６０３と垂直に接続され、フレーム６０３と仕切り６３１−１および仕切り６３１−２とを接続するフレーム６３２−１およびフレーム６３２−２が設けられている。
【０２２９】
さらに、上面６０１−５の背面６０１−３側には、仕切り６３１−１および仕切り６３１−２を接続するフレーム６３３が設けられている。左側面６０１−４の背面６０１−３側の端には、床部６０２に直立するフレーム６３４が設けられ、上面６０１−５の左側面６０１−４側の端には、フレーム６０６とフレーム６３４とを接続するフレーム６３５が設けられている。
【０２３０】
また、右側面６０１−２の背面６０１−３側の端には、床部６０２に直立するフレーム６３６が設けられ、上面６０１−５の右側面６０１−２側の端には、フレーム６０９とフレーム６３６とを接続するフレーム６３７が設けられている。
【０２３１】
ここで、筐体６０１の右側面６０１−２、すなわちフレーム６０９、フレーム６３６、およびフレーム６３７から構成される側面には、カーテン、パネルなどが設けられて、筐体６０１の内部とその外部とが仕切られる。同様に、筐体６０１の左側面６０１−４、すなわちフレーム６０６、フレーム６３４、およびフレーム６３５から構成される側面にも、カーテン、パネルなどが設けられ、背面６０１−３および上面６０１−５にもカーテン、パネルなどが設けられて、筐体６０１の内部とその外部とが仕切られる。
【０２３２】
さらに、フレーム６０４およびフレーム６０５のそれぞれには、筐体６０１の外部にいる利用者から筐体６０１の内部が見えないように、開口部６１１および開口部６１２のそれぞれの図中、上半分が覆われるカーテンがそれぞれ吊設される。
【０２３３】
図２６は、図２４に示した写真シール作成装置６１の筐体６０１の内部を上面６０１−５側から見た図である。なお、図２６において図２４または図２５における場合と対応する部分には同一の符号を付してあり、その説明は適宜省略する。
【０２３４】
図２６では、写真シール作成装置６１の背面６０１−３、正面６０１−１、仕切り６３１−１、および仕切り６３１−２により囲まれる空間が撮影空間６６１とされている。また、撮影空間６６１に隣接し、背面６０１−３、正面６０１−１、左側面６０１−４、および仕切り６３１−１により囲まれる空間が編集空間６６２−１とされており、撮影空間６６１に隣接し、背面６０１−３、正面６０１−１、右側面６０１−２、および仕切り６３１−２により囲まれる空間が編集空間６６２−２とされている。
【０２３５】
以下、編集空間６６２−１および編集空間６６２−２を個々に区別する必要のない場合、単に編集空間６６２と称する。
【０２３６】
撮影空間６６１内の上面６０１−５の正面６０１−１側の端には、背景カーテンユニット１０５が配置されている。背景カーテンユニット１０５から下ろされるカーテンは、図２１を参照して説明した場合と同様に、最も開口部６１０に近いカーテンが遮蔽カーテン４５１とされ、それ以外のカーテンは、背景カーテン２３１とされる。
【０２３７】
また、撮影空間６６１には、仕切り６３１−１とフレーム６０７との間に、撮影空間６６１から編集空間６６２−１への入り口としての開口部６６３−１が設けられている。さらに、上面６０１−５からはカーテン６６４−１が吊設され、開口部６６３−１の位置において、撮影空間６６１と編集空間６６２−１とがカーテン６６４−１により仕切られている。
【０２３８】
同様に、撮影空間６６１には、仕切り６３１−２とフレーム６０８との間に、撮影空間６６１から編集空間６６２−２への入り口としての開口部６６３−２が設けられている。さらに、上面６０１−５からはカーテン６６４−２が吊設され、開口部６６３−２の位置において、撮影空間６６１と編集空間６６２−２とがカーテン６６４−２により仕切られている。
【０２３９】
ここで、開口部６６３−１と開口部６６３−２とは、撮影空間６６１の互いに対向する位置に設けられている。なお、以下、開口部６６３−１および開口部６６３−２を個々に区別する必要のない場合、単に開口部６６３と称する。
【０２４０】
さらに、図中、点線６６５−１および点線６６５−２は、カメラ１３２の画角を表しており、図中、点線６６５−１の右側、かつ点線６６５−２の左側の領域の画像がカメラ１３２により撮影される。そこで、編集空間６６２−１および編集空間６６２−２への入り口としての開口部６６３−１および開口部６６３−２は、カメラ１３２の画角の外側、すなわちカメラ１３２により撮影された画像に写らない位置に設けられている。
【０２４１】
編集空間６６２−１では、編集ユニット１０７−１に設けられている編集表示部１６１が床部６０２と４５度の角度をなし、開口部６１１の上面６０１−５の方向、すなわちフレーム６０４の方向を向くように編集ユニット１０７−１が筐体６１４に配置されている。
【０２４２】
編集空間６６２−１には、編集ユニット１０７−１の正面、すなわち編集ユニット１０７−１の図中、下側にコの字型のパイプなどにより構成される椅子６６６−１が設けられている。編集空間６６２−１において編集作業を行う利用者Ｘ１１および利用者Ｘ１２は、図中、横方向に並んで椅子６６６−１に座って編集作業をすることができる。この椅子６６−１は、例えば、図２０に示した椅子４８６と同じ長さとされる。
【０２４３】
また、編集空間６６２−１における上面６０１−５の正面６０１−１側の端には、編集空間６６２−１と写真シール作成装置６１の外部とを仕切るカーテン６６７−１が吊設されている。
【０２４４】
編集空間６６２−２では、編集ユニット１０７−２に設けられている編集表示部２９３が床部６０２と４５度の角度をなし、フレーム６０９の方向を向くように編集ユニット１０７−２が筐体６１５に配置されている。換言すれば、筐体６１５の正面６０１−１側の側面は、開口部６６３−２、すなわちカーテン６６４−２と鋭角（例えば、４５度）をなすように設けられ、その側面と編集表示部２９３とが平行となるように編集ユニット１０７−２が筐体６１５に配置されている。そのため、筐体６１５は、筐体６１４よりも小さくなるので、編集６６２−２において利用者が編集作業を行うための空間を、編集空間６６２−１における場合よりも広くすることができる。
【０２４５】
なお、筐体６１４の正面６０１−１側の側面が、開口部６６３−１、すなわちカーテン６６４−１と鋭角（例えば、４５度）をなすようにし、その側面と編集表示部１６１とが平行となるように編集ユニット１０７−１を筐体６１４に配置することで、編集６６２−１において利用者が編集作業を行うための空間をより広くすることができる。換言すれば、筐体６１４を筐体６１５と線対称な形状とすることで、編集６６２−１において利用者が編集作業を行うための空間をより広くすることができる。
【０２４６】
編集空間６６２−２には、編集ユニット１０７−２の正面、すなわち編集ユニット１０７−２の図中、下側の編集ユニット１０７−２と向かい合う位置にコの字型のパイプなどにより構成される椅子６６６−２が設けられている。編集空間６６２−２において編集作業を行う利用者Ｙ１１および利用者Ｙ１２は、図中、斜め方向に並んで椅子６６６−２に座って編集作業をすることができる。この椅子６６６−２の長さは、椅子６６６−１の長さよりも長いものとされ、利用者にとっては、編集空間６６２−１における場合よりも、より編集作業がし易くなる。
【０２４７】
また、編集空間６６２−２における上面６０１−５の正面６０１−１側の端には、編集空間６６２−２と写真シール作成装置６１の外部とを仕切るカーテン６６７−２が吊設されている。
【０２４８】
ところで、利用者が撮影空間６６１において撮影作業を行っていないか、または利用者により写真シール作成装置６１が利用されていない場合、撮影空間６６１の入り口の付近に設けられている遮蔽カーテン４５１は、背景カーテンユニット１０５に格納されている。
【０２４９】
遮蔽カーテン４５１が背景カーテン１０５に格納されている状態において、利用者が写真シール作成ゲームを行う場合、利用者は、入り口としての開口部６１０から撮影空間６６１に入場し、硬貨を硬貨投入排出口１３６に投入する。
【０２５０】
すると、入り口扉としての遮蔽カーテン４５１が下ろされて、撮影空間６６１への入り口扉が閉じられ、利用者は、撮影ユニット１０４の方向を向いて所望のポーズをとり撮影作業を開始する。このとき、利用者が撮影表示部１３４を操作して背景カーテン２３１を選択すると、背景カーテンユニット１０５からは選択された背景カーテン２３１が下ろされて背景とされる。そして、撮影作業が終了すると、下ろされている背景カーテン２３１は巻き上げられて、背景カーテンユニット１０５に格納される。
【０２５１】
撮影作業が終了すると、撮影表示部１３４には、編集空間６６２への移動を促す移動案内が表示されるので、利用者はその移動案内にしたがって、編集空間６６２への入り口としての開口部６６３を通り、編集空間６６２−１または編集空間６６２−２へと移動する。
【０２５２】
利用者が、編集空間６６２に移動して編集作業を開始すると、遮蔽カーテン４５１は巻き上げられて背景カーテンユニット１０５に格納され、入り口扉は開かれる。そして、編集作業が終了すると、利用者は編集空間６６２からの出口としての開口部６１１または開口部６１２を通って編集空間６６２から退出する。
【０２５３】
このように、入り口としての開口部６１０から撮影空間６６１に入場し、開口部６６３を通って撮影空間６６１から編集空間６６２に移動し、さらに出口としての開口部６１１または開口部６１２を通って編集空間６６２から退出するようにすることで、写真シール作成装置６１の正面６０１−１、すなわち１側面だけが開放されていれば写真シール作成装置６１を設置することができるようになる。
【０２５４】
また、撮影空間６６１と編集空間６６２とを接続する開口部６６３を設けたので、利用者の移動距離をより短くすることができる。すなわち、利用者は、撮影空間６６１から編集空間６６２に移動するときに、一度も写真シール作成装置６１の外部に出ることなく、速やかに移動することができる。これにより利用者の回転率を向上させることができる。
【０２５５】
なお、上面６０１−５に、カーテン６６４−１またはカーテン６６４−２を格納するカーテンユニットを設け、カーテン６６４−１またはカーテン６６４−２を巻き上げてカーテンユニットに格納することができるようにすることで、カーテン６６４−１またはカーテン６６４−２を自動昇降式のカーテンとするようにしてもよい。この場合、撮影作業が終了するとカーテン６６４−１またはカーテン６６４−２が巻き上げられてカーテンユニットに格納され、編集作業が開始されると、カーテン６６４−１またはカーテン６６４−２が下ろされる。
【０２５６】
図２６に示した写真シール作成装置６１の機能的な構成は、例えば、図１０に示した構成とされ、写真シール作成装置６１の電源がオンされると、写真シール作成装置６１は、図１１を参照して説明した写真シール作成ゲーム処理と同様の処理を行う。なお、ステップＳ１１の処理に対応する処理として、図２２を参照して説明した撮影処理が行われ、ステップＳ１２の処理に対応する処理として、図２３を参照して説明した編集処理が行われる。
【０２５７】
編集作業が終了すると、利用者は編集ユニット１０７の編集表示部１６１または編集表示部２９３に表示される移動案内にしたがって、開口部６１１または開口部６１２を通って編集空間６６２から退出し、シール紙がシール紙排出口１９６から排出されるとそのシール紙を受け取って、写真シール作成ゲームは終了する。
【０２５８】
このように、撮影空間６６１と編集空間６６２とを接続する開口部６６３を設け、編集空間６６２への入り口とすることで、利用者は撮影作業の終了後、写真シール作成装置６１の外部に退出することなく、迅速に編集空間６６２に移動することができる。
【０２５９】
また、撮影空間に設けられ、撮影ユニット１０４などが配置された筐体の側面に編集ユニット１０７が設けられるようにしてもよい。そのような場合、写真シール作成装置６１は、例えば、図２７に示すように構成される。
【０２６０】
図２７では、写真シール作成装置６１の筐体７０１の図中、下側には地上面に接するように床部７０２が設けられている。ここで、筐体７０１の、地上面（床部７０２の上面）に対して垂直な４側面のうち、筐体７０１の図中、手前側に位置する面を正面７０１−１と称し、その正面７０１−１の右側に隣接する側面を右側面７０１−２と称し、正面７０１−１に対向する側面を背面７０１−３と称し、正面７０１−１の左側に隣接する側面（右側面７０１−２に対向する側面）を左側面７０１−４と称する。また、筐体７０１の床部７０２と対向する面を上面７０１−５と称する。
【０２６１】
正面７０１−１は、正面７０１−１の上面７０１−５側に設けられたフレーム７０３乃至フレーム７０５と、床部７０２に直立するように横方向に並べられて設けられている長方形状のフレーム７０６乃至フレーム７０９とから構成され、フレーム７０６乃至フレーム７０９のそれぞれは、図中、左側から順に並べられて配置されている。すなわち、フレーム７０６は正面７０１−１の左端に配置され、フレーム７０９は正面７０１−１の右端に配置されている。
【０２６２】
このように、フレーム７０６乃至フレーム７０９が横方向に並べられて配置されることにより、正面７０１−１には３つの開口部７１０乃至開口部７１２が設けられることになる。正面７０１−１の中央に設けられた開口部７１０は、筐体７０１の内部に設けられた撮影空間への入り口とされる。
【０２６３】
また、正面７０１−１の左側に設けられた開口部７１１は、筐体７０１の内部に設けられた編集空間からの出口とされる。同様に、正面７０１−１の右側に設けられた開口部７１２は、筐体７０１の内部に設けられた編集空間からの出口とされる。
【０２６４】
筐体７０１内部の背面７０１−３側には、撮影ユニット１０４、撮影表示部１３４、スピーカ１３５、硬貨投入排出口１３６などが設けられた筐体７１３が配置されている。撮影ユニット１０４は、その撮影ユニット１０４を構成するカメラ１３２が開口部７１０の方向に向くように、筐体７１３の上部に設けられており、撮影表示部１３４は、筐体７１３の図中、手前側に立った利用者が撮影表示部１３４を操作し易いように、その表示画面が斜め上方、すなわちフレーム７０３の方向に向けられて配置されている。また、筐体７１３の撮影表示部１３４の図中、下側には硬貨投入排出口１３６が配置されている。
【０２６５】
筐体７１３の図中、左側の左側面７１４−１には、編集ユニット１０７−１が設けられている。編集ユニット１０７−１は、編集ユニット１０７−１を構成する編集表示部１６１が図中、左上方向、すなわち左側面７０１−４の方向を向くように左側面７１４−１に配置されている。
【０２６６】
また、筐体７１３の図中、右側の右側面７１４−２には、編集ユニット１０７−２が設けられている。編集ユニット１０７−２は、編集ユニット１０７−２を構成する編集表示部２９３が図中、右上方向、すなわち右側面７０１−２の方向を向くように右側面７１４−２に配置されている。
【０２６７】
フレーム７０３の床部７０２側には、照明部１３１（図示せず）が設けられている。さらに、正面７０１−１の手前側には、フレーム７０８と隣接してシール紙排出口１９６が設けられた筐体７１５が配置されており、この筐体７１５の内部にはプリンタ２６８が配置されている。
【０２６８】
さらに、床部７０２の編集ユニット１０７−１および編集ユニット１０７−２のそれぞれの正面、すなわち図中、編集ユニット１０７−１の左側および編集ユニット１０７−２の右側には、コの字型のパイプなどにより構成される椅子７０６−１および椅子７０６−２が設けられている。
【０２６９】
図２８は、筐体７０１を図２７おける左上方から見た図を示している。
【０２７０】
上面７０１−５には、フレーム７０３と垂直に接続され、フレーム７０３と筐体７１３とを接続するフレーム７３１−１およびフレーム７３１−２が設けられている。また、左側面７０１−４の背面７０１−３側の端には、床部７０２に直立するフレーム７３２が設けられ、上面７０１−５の左側面７０１−４側の端には、フレーム７０６とフレーム７３２とを接続するフレーム７３３が設けられている。
【０２７１】
右側面７０１−２の背面７０１−３側の端には、床部７０２に直立するフレーム７３４が設けられ、上面７０１−５の右側面７０１−２側の端には、フレーム７０９とフレーム７３４とを接続するフレーム７３５が設けられている。
【０２７２】
さらに、上面７０１−５の背面７０１−３側の端には、フレーム７３２と筐体７１３とを接続するフレーム７３６、およびフレーム７３４と筐体７１３とを接続するフレーム７３７が設けられている。
【０２７３】
ここで、筐体７０１の右側面７０１−２、すなわちフレーム７０９、フレーム７３４、およびフレーム７３５から構成される側面には、カーテン、パネルなどが設けられて、筐体７０１の内部とその外部とが仕切られる。同様に、筐体７０１の左側面７０１−４、すなわちフレーム７０６、フレーム７３２、およびフレーム７３３から構成される側面にも、カーテン、パネルなどが設けられ、背面７０１−３および上面７０１−５にもカーテン、パネルなどが設けられて、筐体７０１の内部とその外部とが仕切られる。
【０２７４】
さらに、フレーム７０４およびフレーム７０５のそれぞれには、筐体７０１の外部にいる利用者から筐体７０１の内部が見えないように、開口部７１１および開口部７１２のそれぞれの図中、上半分が覆われるカーテンがそれぞれ吊設される。
【０２７５】
図２９は、図２７に示した写真シール作成装置６１の筐体７０１の内部を上面７０１−５側から見た図である。なお、図２９において図２７または図２８における場合と対応する部分には同一の符号を付してあり、その説明は適宜省略する。
【０２７６】
図２９では、写真シール作成装置６１の背面７０１−３、正面７０１−１、筐体７１３の左側面７１４−１、および筐体７１３の右側面７１４−２により囲まれる空間が撮影空間７６１とされている。また、撮影空間７６１に隣接し、背面７０１−３、正面７０１−１、左側面７０１−４、および筐体７１３の左側面７１４−１により囲まれる空間が編集空間７６２−１とされており、撮影空間７６１に隣接し、背面７０１−３、正面７０１−１、右側面７０１−２、および筐体７１３の右側面７１４−２により囲まれる空間が編集空間７６２−２とされている。
【０２７７】
ここで、撮影空間７６１に配置される筐体７１３の開口部７１０と対向する正面には、撮影ユニット１０４、撮影表示部１３４などが設けられており、その正面は撮影空間７６１に含まれている。また、筐体７１３の左側面７１４−１は編集空間７６２−１に含まれており、左側面７１４−１には編集ユニット１０７−１が設けられ、筐体７１３の右側面７１４−２は編集空間７６２−２に含まれており、右側面７１４−２には編集ユニット１０７−２が設けられている。
【０２７８】
以下、編集空間７６２−１および編集空間７６２−２を個々に区別する必要のない場合、単に編集空間７６２と称する。
【０２７９】
撮影空間７６１内の上面７０１−５の正面７０１−１側の端には、背景カーテンユニット１０５が配置されている。背景カーテンユニット１０５から下ろされるカーテンは、図２１を参照して説明した場合と同様に、最も開口部７１０に近いカーテンが遮蔽カーテン４５１とされ、それ以外のカーテンは、背景カーテン２３１とされる。
【０２８０】
また、撮影空間７６１には、筐体７１３の左側面７１４−１とフレーム７０７との間に、撮影空間７６１から編集空間７６２−１への入り口としての開口部７６３−１が設けられている。さらに、上面７０１−５からはカーテン７６４−１が吊設され、開口部７６３−１の位置において、撮影空間７６１と編集空間７６２−１とがカーテン７６４−１により仕切られている。
【０２８１】
同様に、撮影空間７６１には、筐体７１３の右側面７１４−２とフレーム７０８との間に、撮影空間７６１から編集空間７６２−２への入り口としての開口部７６３−２が設けられている。さらに、上面７０１−５からはカーテン７６４−２が吊設され、開口部７６３−２の位置において、撮影空間７６１と編集空間７６２−２とがカーテン７６４−２により仕切られている。
【０２８２】
ここで、開口部７６３−１と開口部７６３−２とは、撮影空間７６１の互いに対向する位置に設けられている。なお、以下、開口部７６３−１および開口部７６３−２を個々に区別する必要のない場合、単に開口部７６３と称する。
【０２８３】
さらに、図中、点線７６５−１および点線７６５−２は、カメラ１３２の画角を表しており、図中、点線７６５−１の右側、かつ点線７６５−２の左側の領域の画像がカメラ１３２により撮影される。そこで、編集空間７６２−１および編集空間７６２−２への入り口としての開口部７６３−１および開口部７６３−２は、カメラ１３２の画角の外側、すなわちカメラ１３２により撮影された画像に写らない位置に設けられている。
【０２８４】
編集空間７６２−１では、編集ユニット１０７−１に設けられている編集表示部１６１が左側面７０１−４の方向を向くように編集ユニット１０７−１が筐体７１３に配置されている。利用者Ｘ２１および利用者Ｘ２２は、編集ユニット１０７−１の図中、左側に配置された椅子７０６−１に上下方向に並んで座り、編集作業をすることができる。
【０２８５】
また、編集空間７６２−１における上面７０１−５の正面７０１−１側の端には、編集空間７６２−１と写真シール作成装置６１の外部とを仕切るカーテン７６６−１が吊設されている。
【０２８６】
編集空間７６２−２では、編集ユニット１０７−２に設けられている編集表示部２９３が右側面７０１−２の方向を向くように編集ユニット１０７−２が筐体７１３に配置されている。利用者Ｚ１１乃至利用者Ｚ１３は、編集ユニット１０７−２の図中、右側に配置された椅子７０６−２に上下方向に並んで座り、編集作業をすることができる。
【０２８７】
また、編集空間７６２−２における上面７０１−５の正面７０１−１側の端には、編集空間７６２−２と写真シール作成装置６１の外部とを仕切るカーテン７６６−２が吊設されている。
【０２８８】
なお、椅子７０６−１および椅子７０６−２の長さは、図２６に示した椅子６６６−２の長さよりも長いものとされ、利用者にとってはより編集作業がし易くなる。また、編集空間７６２においては、編集ユニット１０７が、筐体７１３の左側面７１４−１および右側面７１４−２に配置されるため、編集空間７６２に撮影ユニット１０４が設けられる筐体とは異なる筐体、すなわち編集ユニット１０７だけが設けられる筐体を配置する必要がないので、編集空間７６２における利用者が編集作業を行うための空間の広さは、図２６に示した編集空間６６２における場合よりもより広くなる。
【０２８９】
ところで、利用者が撮影空間７６１において撮影作業を行っていないか、または利用者により写真シール作成装置６１が利用されていない場合、撮影空間７６１の入り口の付近に設けられている遮蔽カーテン４５１は、背景カーテンユニット１０５に格納されている。
【０２９０】
遮蔽カーテン４５１が背景カーテン１０５に格納されている状態において、利用者が写真シール作成ゲームを行う場合、利用者は、入り口としての開口部７１０から撮影空間７６１に入場し、硬貨を硬貨投入排出口１３６に投入する。
【０２９１】
すると、入り口扉としての遮蔽カーテン４５１が下ろされて、撮影空間７６１への入り口扉が閉じられ、利用者は、撮影ユニット１０４の方向を向いて所望のポーズをとり撮影作業を開始する。このとき、利用者が撮影表示部１３４を操作して背景カーテン２３１を選択すると、背景カーテンユニット１０５からは選択された背景カーテン２３１が下ろされて背景とされる。そして、撮影作業が終了すると、下ろされている背景カーテン２３１は巻き上げられて、背景カーテンユニット１０５に格納される。
【０２９２】
撮影作業が終了すると、撮影表示部１３４には、編集空間７６２への移動を促す移動案内が表示されるので、利用者はその移動案内にしたがって、編集空間７６２への入り口としての開口部７６３を通り、編集空間７６２−１または編集空間７６２−２へと移動する。
【０２９３】
利用者が、編集空間７６２に移動して編集作業を開始すると、遮蔽カーテン４５１は巻き上げられて背景カーテンユニット１０５に格納され、入り口扉は開かれる。そして、編集作業が終了すると、利用者は編集空間７６２からの出口としての開口部７１１または開口部７１２を通って編集空間７６２から退出する。
【０２９４】
このように、入り口としての開口部７１０から撮影空間７６１に入場し、開口部７６３を通って撮影空間７６１から編集空間７６２に移動し、さらに出口としての開口部７１１または開口部７１２を通って編集空間７６２から退出するようにすることで、写真シール作成装置６１の正面７０１−１、すなわち１側面だけが開放されていれば写真シール作成装置６１を設置することができるようになる。
【０２９５】
また、撮影空間７６１と編集空間７６２とを接続する開口部７６３を設けたので、利用者の移動距離をより短くすることができる。すなわち、利用者は、撮影空間７６１から編集空間７６２に移動するときに、一度も写真シール作成装置６１の外部に出ることなく、速やかに移動することができる。これにより利用者の回転率を向上させることができる。
【０２９６】
なお、上面７０１−５に、カーテン７６４−１またはカーテン７６４−２を格納するカーテンユニットを設け、カーテン７６４−１またはカーテン７６４−２を巻き上げてカーテンユニットに格納することができるようにすることで、カーテン７６４−１またはカーテン７６４−２を自動昇降式のカーテンとするようにしてもよい。この場合、撮影作業が終了するとカーテン７６４−１またはカーテン７６４−２が巻き上げられてカーテンユニットに格納され、編集作業が開始されると、カーテン７６４−１またはカーテン７６４−２が下ろされる。
【０２９７】
図２９に示した写真シール作成装置６１の機能的な構成は、例えば、図１０に示した構成とされ、写真シール作成装置６１の電源がオンされると、写真シール作成装置６１は、図１１を参照して説明した写真シール作成ゲーム処理と同様の処理を行う。なお、ステップＳ１１の処理に対応する処理として、図２２を参照して説明した撮影処理が行われ、ステップＳ１２の処理に対応する処理として、図２３を参照して説明した編集処理が行われる。
【０２９８】
編集作業が終了すると、利用者は編集ユニット１０７の編集表示部１６１または編集表示部２９３に表示される移動案内にしたがって、開口部７１１または開口部７１２を通って編集空間７６２から退出し、シール紙がシール紙排出口１９６から排出されるとそのシール紙を受け取って、写真シール作成ゲームは終了する。
【０２９９】
このように、撮影空間７６１と編集空間７６２とを接続する開口部７６３を設け、編集空間７６２への入り口とすることで、利用者は撮影作業の終了後、写真シール作成装置６１の外部に退出することなく、迅速に編集空間７６２に移動することができる。
【０３００】
以上のように、撮影空間と編集空間とを接続する開口部を設けるようにしたので、写真シール作成装置に設けられた各空間への移動をより迅速にできるようにするとともに、より狭い設置空間に写真シール作成装置を設置することができる。
【０３０１】
なお、以上においては、椅子４８６、椅子６６１、椅子７０６−１、および椅子７０６−２のそれぞれは、コの字型のパイプなどにより構成されると説明したが、それ以外の構成とされてもよい。
【０３０２】
また、図２０、図２６、または図２９に示した写真シール作成装置６１のように、筐体の１側面だけが開放されていればよい構造となっている場合、撮影空間および編集空間が完全に外部と遮蔽されることは防犯上好ましくない。したがって、撮影空間および編集空間の間に設けられたカーテン、すなわち図２０のカーテン４８８、図２６のカーテン６６４−１およびカーテン６６４−２、並びに図２９のカーテン７６４−１およびカーテン７６４−２と、編集空間からの出口に設けられるカーテン、すなわち図２０のカーテン４５２およびカーテン４５３、図２６のカーテン６６７−１およびカーテン６６７−２、並びに図２９のカーテン７６６−１およびカーテン７６６−２とは、外部から撮影空間または編集空間内が見えるように、それらのカーテンの一部または全部において下部が開いていることが好ましい。
【０３０３】
さらに、以上において、印刷媒体は、シール紙に限られるものではなく、例えば、所定のサイズの紙や、ポスター用の紙、テレホンカードなどのカード、あるいは、Ｔシャツなどの布地などに印刷するようにしてもよい。
【０３０４】
本発明の実施の形態は、上述した実施の形態に限定されるものではなく、本発明の要旨を逸脱しない範囲において種々の変更が可能である。
【図面の簡単な説明】
【０３０５】
【図１】従来の写真シール作成装置の撮影空間および編集空間の配置を示す図である。
【図２】従来の写真シール作成装置の撮影空間および編集空間の配置を示す図である。
【図３】本発明を適用した写真シール作成装置の外観構成例を示す斜視図である。
【図４】写真シール作成装置の筐体の内部を天井部側から見た図である。
【図５】第１ユニットの正面の構成例を示す図である。
【図６】編集ユニットの構成例を示す図である。
【図７】第２ユニットの右側面の構成例を示す図である。
【図８】第１ユニットに対する面側から見た第２ユニットの外観を示す斜視図である。
【図９】背景カーテンユニットの構成例を示す図である。
【図１０】写真シール作成装置の機能の構成例を示すブロック図である。
【図１１】写真シール作成ゲーム処理を説明するフローチャートである。
【図１２】撮影処理を説明するフローチャートである。
【図１３】撮影時に撮影表示部に表示される画面の例を示す図である。
【図１４】編集処理を説明するフローチャートである。
【図１５】写真シール作成装置の筐体の内部を天井部側から見た図である。
【図１６】撮影ユニットの移動について説明する図である。
【図１７】写真シール作成装置の他の機能の構成例を示すブロック図である。
【図１８】撮影処理を説明するフローチャートである。
【図１９】写真シール作成装置の他の外観構成例を示す斜視図である。
【図２０】写真シール作成装置の筐体の内部を上面から見た図である。
【図２１】背景カーテンユニットが配置される位置を示す図である。
【図２２】撮影処理を説明するフローチャートである。
【図２３】編集処理を説明するフローチャートである。
【図２４】写真シール作成装置の他の外観構成例を示す斜視図である。
【図２５】写真シール作成装置の他の外観構成例を示す斜視図である。
【図２６】写真シール作成装置の筐体の内部を上面から見た図である。
【図２７】写真シール作成装置の他の外観構成例を示す斜視図である。
【図２８】写真シール作成装置の他の外観構成例を示す斜視図である。
【図２９】写真シール作成装置の筐体の内部を上面から見た図である。
【符号の説明】
【０３０６】
６１  写真シール作成装置
７１  第１ユニット
７２  第２ユニット
７６  開口部
７８  開口部
１０１  撮影空間
１０２  開口部
１０３−１  編集空間
１０３−２  編集空間
１０４  撮影ユニット
１０６−１  開口部扉
１０６−２  開口部扉
１０７−１  編集ユニット
１０７−２  編集ユニット
１３２  カメラ
１３３  取り込み画像表示部
１３４  撮影表示部
１６１  編集表示部
２６１  制御部
２９３  編集表示部
３５４  開口部
４４１  筐体
４４８  開口部
４４９  開口部
４５０  開口部
４５１  遮蔽カーテン
４８１  撮影空間
４８２−１  編集空間
４８２−２  編集空間
６１０  開口部
６１１  開口部
６１２  開口部
６６１  撮影空間
６６２−１  編集空間
６６２−２  編集空間
７１０  開口部
７１１  開口部
７１２  開口部
７６１  撮影空間
７６２−１  編集空間
７６２−２  編集空間
【図１】
0004595874.tif 000002
【図２】
0004595874.tif 000003
【図３】
0004595874.tif 000004
【図４】
0004595874.tif 000005
【図５】
0004595874.tif 000006
【図６】
0004595874.tif 000007
【図７】
0004595874.tif 000008
【図８】
0004595874.tif 000009
【図９】
0004595874.tif 000010
【図１０】
0004595874.tif 000011
【図１１】
0004595874.tif 000012
【図１２】
0004595874.tif 000013
【図１３】
0004595874.tif 000014
【図１４】
0004595874.tif 000015
【図１５】
0004595874.tif 000016
【図１６】
0004595874.tif 000017
【図１７】
0004595874.tif 000018
【図１８】
0004595874.tif 000019
【図１９】
0004595874.tif 000020
【図２０】
0004595874.tif 000021
【図２１】
0004595874.tif 000022
【図２２】
0004595874.tif 000023
【図２３】
0004595874.tif 000024
【図２４】
0004595874.tif 000025
【図２５】
0004595874.tif 000026
【図２６】
0004595874.tif 000027
【図２７】
0004595874.tif 000028
【図２８】
0004595874.tif 000029
【図２９】
0004595874.tif 000030